(57)【要約】  ワイヤレスデバイスは、近隣基地局の第1のセルの無線周波数帯域において第1の同期信号ブロック(SSB)を受信し、第1のセルの物理セル識別子(PCI)をサービング基地局に報告し得る。サービング基地局は、PCI報告に基づいて、第1のSSBの無線周波数帯域が同期ラスタの中にあるか、またはそれから離れているかを特定し、その特定に基づいて、近隣基地局のグローバルセル識別子(CGI)(たとえば、近隣セルのCGI)を報告するようにUEに命令するかどうかを決定し得る。ワイヤレスデバイスは、その命令に基づいて、近隣セルから取得されたCGIベースのシステム情報、近隣基地局と関連付けられるマスターセルから取得されたシステム情報、近隣セルからブロードキャストされるCGIから取得されるシステム情報、または、専用のリソースを使用して近隣セルから要求されるシステム情報を特定し得る。
2021521684.tif 000002
【特許請求の範囲】
【請求項１】
ユーザ機器(UE)におけるワイヤレス通信のための方法であって、
第1の基地局の第1のセルの無線周波数帯域において第1の同期信号ブロック(SSB)を受信するステップと、
前記受信された第1のSSBに少なくとも一部基づいて前記第1のセルの物理セル識別子(PCI)を第2の基地局に報告するステップと、
前記報告されたPCIに応答して前記第2の基地局から、前記第1の基地局のグローバルセル識別子(CGI)を報告するようにとの命令を受信するステップと、
前記受信された命令と、前記第1のSSBの前記無線周波数帯域が同期ラスタにおいて受信されたかどうかとに少なくとも一部基づいて、前記CGIを前記第2の基地局に送信するステップとを備える、方法。
【請求項２】
前記UEによって、前記第1のSSBが前記同期ラスタにおいて受信されたことを決定するステップをさらに備える、請求項1に記載の方法。
【請求項３】
前記第1の基地局から、前記第1のSSBと関連付けられるシステム情報を受信するステップと、
前記システム情報に少なくとも一部基づいて前記CGIを特定するステップと、
前記CGIを前記第2の基地局に送信するステップとをさらに備える、請求項2に記載の方法。
【請求項４】
システム情報が前記第1のSSBと関連付けられないと決定するステップと、
前記第1の基地局から、第2のSSBを受信するステップであって、前記第2のSSBが前記第1のSSBによって少なくとも一部示される、ステップと、
前記第1の基地局から、前記第2のSSBと関連付けられるシステム情報を受信するステップであって、前記第2のSSBが前記受信された第1のSSBに少なくとも一部基づいて受信される、ステップと、
前記システム情報に少なくとも一部基づいて前記CGIを特定するステップと、
前記CGIを前記第2の基地局に送信するステップとをさらに備える、請求項2に記載の方法。
【請求項５】
前記UEによって、前記第1のSSBが前記同期ラスタから離れて受信されたことを決定するステップをさらに備える、請求項1に記載の方法。
【請求項６】
システム情報が前記第1のSSBと関連付けられないと決定するステップと、
前記第1の基地局の第2のセルと関連付けられるシステム情報を決定するようにとの指示を受信するステップと、
前記システム情報に少なくとも一部基づいて前記CGIを特定するステップと、
前記CGIを前記第2の基地局に送信するステップとをさらに備える、請求項5に記載の方法。
【請求項７】
前記第2のセルが、非スタンドアロンモードで動作する前記第1の基地局のマスターlong term evolution(LTE) evolved NodeB(eNB)を備える、請求項6に記載の方法。
【請求項８】
前記受信された第1のSSBに少なくとも一部基づいて、ブロードキャストCGIと関連付けられるタイミング基準を決定するステップと、
前記第1の基地局から、前記タイミング基準と関連付けられる送信パターンに少なくとも一部基づいてブロードキャストCGIを受信するステップと、
前記ブロードキャストCGIに少なくとも一部基づいて前記CGIを特定するステップと、
前記CGIを前記第2の基地局に送信するステップとをさらに備える、請求項5に記載の方法。
【請求項９】
前記送信パターンのパラメータが送信周期およびオフセットを備える、請求項8に記載の方法。
【請求項１０】
前記送信パターンのパラメータがシステム情報から取得される、請求項8に記載の方法。
【請求項１１】
前記受信された第1のSSBに少なくとも一部基づいて、CGIのための専用のリソースと関連付けられるタイミング基準を決定するステップと、
前記タイミング基準と関連付けられる送信パターンに少なくとも一部基づいて、前記専用のリソースにおいてCGI要求を送信するステップと、
前記送信されたCGI要求に少なくとも一部基づいて前記CGIを受信するステップと、
前記CGIを前記第2の基地局に送信するステップとをさらに備える、請求項5に記載の方法。
【請求項１２】
CGIのための前記専用のリソースの送信パターンのパラメータが送信周期およびオフセットを備える、請求項11に記載の方法。
【請求項１３】
CGIのための前記専用のリソースの送信パターンのパラメータがシステム情報から取得される、請求項11に記載の方法。
【請求項１４】
前記CGI要求が、ランダムアクセス手順の要求において送信され、
前記CGIが、前記ランダムアクセス手順の応答において受信される、請求項11に記載の方法。
【請求項１５】
前記CGIを報告するようにとの前記命令が、前記第1のSSBが前記同期ラスタにおいて受信されたという前記第2の基地局による決定に少なくとも一部基づいて、前記第2の基地局によって送信される、請求項1に記載の方法。
【請求項１６】
前記PCIを報告するステップが、
前記第1のセルの前記PCIと、前記第1のSSBを受信することに関連付けられる測定識別子とを含む測定報告を送信するステップを備え、前記CGIを報告するようにとの前記命令が、前記PCIおよび前記測定識別子に少なくとも一部基づく、請求項1に記載の方法。
【請求項１７】
第1のブロードキャストCGIメッセージにおいて前記CGIの第1の部分を受信するステップと、
第2のブロードキャストCGIメッセージにおいて前記CGIの第2の部分を受信するステップと、
前記第1の部分および前記第2の部分に少なくとも一部基づいて前記CGIを特定するステップとをさらに備える、請求項1に記載の方法。
【請求項１８】
複数のSSBのうちの1つまたは複数のSSBに少なくとも一部基づいてCGIブロードキャストパターンを特定するステップと、
前記特定されたCGIブロードキャストパターンに少なくとも一部基づいて前記CGIを受信するステップとをさらに備える、請求項1に記載の方法。
【請求項１９】
前記第1の基地局が近隣の基地局を備え、
前記第2の基地局がサービング基地局を備える、請求項1に記載の方法。
【請求項２０】
第1の基地局におけるワイヤレス通信のための方法であって、
ユーザ機器(UE)から、第2の基地局の第1のセルの物理セル識別子(PCI)を受信するステップと、
前記PCIを特定するために使用される第1の同期信号ブロック(SSB)の無線周波数帯域が同期ラスタにおいて受信されたかどうかを特定するステップと、
前記特定に少なくとも一部基づいて、前記第2の基地局のグローバルセル識別子(CGI)を報告するように前記UEに命令するかどうかを決定するステップとを備える、方法。
【請求項２１】
前記第1のSSBが前記同期ラスタにおいて受信されたという決定に少なくとも一部基づいて、前記CGIを報告するようにとの前記UEに対する命令を送信するステップと、
前記命令に少なくとも一部基づいて前記UEから前記CGIを受信するステップとをさらに備える、請求項20に記載の方法。
【請求項２２】
前記第1のSSBが前記同期ラスタから離れて受信されたという決定に少なくとも一部基づいて、前記CGIを報告するように前記UEに命令するのを控えるステップをさらに備える、請求項20に記載の方法。
【請求項２３】
前記第1のSSBが前記同期ラスタから離れて受信されたという決定に少なくとも一部基づいて、前記CGIを報告するようにとの前記UEに対する命令を送信するステップと、
前記送信された命令に少なくとも一部基づいて前記UEから前記CGIを受信するステップとをさらに備える、請求項20に記載の方法。
【請求項２４】
前記CGIを特定するために前記第2の基地局の第2のセルからシステム情報を取得するようにとの前記UEに対する命令を送信するステップと、
前記送信された命令に応答して前記UEから前記CGIを受信するステップとをさらに備える、請求項20に記載の方法。
【請求項２５】
前記第2のセルが、非スタンドアロンモードで動作する前記第1の基地局のマスターlong term evolution(LTE) evolved NodeB(eNB)を備える、請求項24に記載の方法。
【請求項２６】
CGI報告構成を前記UEに送信するステップと、
前記UEから、前記送信されたCGI報告構成に少なくとも一部基づいて構成されるCGI報告において前記CGIを受信するステップとをさらに備える、請求項20に記載の方法。
【請求項２７】
前記UEがセルレベル測定を測定して報告すべきであることを示すCGI報告構成を前記UEに送信するステップをさらに備える、請求項20に記載の方法。
【請求項２８】
前記UEがビームレベル測定を測定して報告すべきであることを示すCGI報告構成を前記UEに送信するステップをさらに備える、請求項20に記載の方法。
【請求項２９】
前記ビームレベル測定がビーム識別子を備える、請求項28に記載の方法。
【請求項３０】
前記ビームレベル測定がビーム品質を備える、請求項28に記載の方法。
【請求項３１】
前記ビームレベル測定がビーム識別子およびビーム品質を備える、請求項28に記載の方法。
【請求項３２】
ユーザ機器(UE)におけるワイヤレス通信のための装置であって、
プロセッサと、
前記プロセッサと電子的に通信しているメモリと、
前記メモリに記憶された命令とを備え、前記命令が、前記装置に、
第2の基地局の第1のセルの無線周波数帯域において第1の同期信号ブロック(SSB)を受信させ、
前記受信された第1のSSBに少なくとも一部基づいて前記第1のセルの物理セル識別子(PCI)を第1の基地局へ報告させ、
前記報告されたPCIに応答して前記第1の基地局から、前記第2の基地局のグローバルセル識別子(CGI)を報告するようにとの命令を受信させ、
前記受信された命令と、前記第1のSSBの前記無線周波数帯域が同期ラスタにおいて受信されたかどうかとに少なくとも一部基づいて、前記CGIを前記第1の基地局へ送信させる
ように前記プロセッサによって実行可能である、装置。
【請求項３３】
第1の基地局におけるワイヤレス通信のための装置であって、
プロセッサと、
前記プロセッサと電子的に通信しているメモリと、
前記メモリに記憶された命令とを備え、前記命令が、前記装置に、
ユーザ機器(UE)から、第2の基地局の第1のセルの物理セル識別子(PCI)を受信させ、
前記PCIを特定するために使用される第1の同期信号ブロック(SSB)の無線周波数帯域が同期ラスタにおいて受信されたかどうかを特定させ、
前記特定に少なくとも一部基づいて、前記第2の基地局のグローバルセル識別子(CGI)を報告するように前記UEに命令するかどうかを決定させる
ように前記プロセッサによって実行可能である、装置。
【請求項３４】
ユーザ機器(UE)におけるワイヤレス通信のための装置であって、
第2の基地局の第1のセルの無線周波数帯域において第1の同期信号ブロック(SSB)を受信するための手段と、
前記受信された第1のSSBに少なくとも一部基づいて前記第1のセルの物理セル識別子(PCI)を第1の基地局に報告するための手段と、
前記報告されたPCIに応答して前記第1の基地局から、前記第2の基地局のグローバルセル識別子(CGI)を報告するようにとの命令を受信するための手段と、
前記受信された命令と、前記第1のSSBの前記無線周波数帯域が同期ラスタにおいて受信されたかどうかとに少なくとも一部基づいて、前記CGIを前記第1の基地局に送信するための手段とを備える、装置。
【請求項３５】
第1の基地局におけるワイヤレス通信のための装置であって、
ユーザ機器(UE)から、第2の基地局の第1のセルの物理セル識別子(PCI)を受信するための手段と、
前記PCIを特定するために使用される第1の同期信号ブロック(SSB)の無線周波数帯域が同期ラスタにおいて受信されたかどうかを特定するための手段と、
前記特定に少なくとも一部基づいて、前記第2の基地局のグローバルセル識別子(CGI)を報告するように前記UEに命令するかどうかを決定するための手段とを備える、装置。
【請求項３６】
ユーザ機器(UE)におけるワイヤレス通信のためのコードを記憶する非一時的コンピュータ可読記憶媒体であって、前記コードが、
第2の基地局の第1のセルの無線周波数帯域において第1の同期信号ブロック(SSB)を受信し、
前記受信された第1のSSBに少なくとも一部基づいて前記第1のセルの物理セル識別子(PCI)を第1の基地局に報告し、
前記報告されたPCIに応答して前記第1の基地局から、前記第2の基地局のグローバルセル識別子(CGI)を報告するようにとの命令を受信し、
前記受信された命令と、前記第1のSSBの前記無線周波数帯域が同期ラスタにおいて受信されたかどうかとに少なくとも一部基づいて、前記CGIを前記第1の基地局に送信する
ようにプロセッサによって実行可能な命令を備える、非一時的コンピュータ可読記憶媒体。
【請求項３７】
第1の基地局におけるワイヤレス通信のためのコードを記憶する非一時的コンピュータ可読記憶媒体であって、前記コードが、
ユーザ機器(UE)から、第2の基地局の第1のセルの物理セル識別子(PCI)を受信し、
前記PCIを特定するために使用される第1の同期信号ブロック(SSB)の無線周波数帯域が同期ラスタにおいて受信されたかどうかを特定し、
前記特定に少なくとも一部基づいて、前記第2の基地局のグローバルセル識別子(CGI)を報告するように前記UEに命令するかどうかを決定する
ようにプロセッサによって実行可能な命令を備える、非一時的コンピュータ可読記憶媒体。
【発明の詳細な説明】
【技術分野】
【０００１】
相互参照
本特許出願は、全体が参照により本明細書に明確に組み込まれている、2018年4月13日に出願され、本出願の譲受人に譲渡された、「Measurement Configuration for Global Cell Identifier Reporting」という表題の、CHENGらの国際特許出願PCT/CN2018/082984号の優先権を主張する。
【０００２】
以下は、全般にワイヤレス通信に関し、より詳細には、グローバルセル識別子報告のための測定報告に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例には、Long Term Evolution(LTE)システム、LTE-Advanced(LTE-A)システムまたはLTE-A Proシステムなどの第4世代(4G)システム、およびNew Radio(NR)システムと呼ばれることがある第5世代(5G)システムがある。これらのシステムは、符号分割多元接続(CDMA)、時分割多元接続(TDMA)、周波数分割多元接続(FDMA)、直交周波数分割多元接続(OFDMA)、または離散フーリエ変換拡散OFDM(DFT-S-OFDM)などの技法を利用し得る。
【０００４】
ワイヤレス多元接続通信システムは、場合によってはユーザ機器(UE)として知られていることがある、複数の通信デバイスのための通信を各々が同時にサポートする、いくつかの基地局またはネットワークアクセスノードを含み得る。一部のワイヤレス通信システムでは、UEは、デュアルコネクティビティ、キャリアアグリゲーション、または両方において動作するように構成され得る。たとえば、UEは、複数の基地局のセルと同時に通信し、複数のセル上で1つの基地局と通信し、またはこれらの組合せを行い得る。これらのタイプのシステムでは、近隣の基地局は、互いについての情報を欠いていることがあり、それらの基地局は協調しないで通信することがある。基地局またはUEが、起こり得る混乱または基地局間での非協調的通信を考慮に入れなければ、これらの基地局に対するシステム効率およびモビリティは悪化することがある。
【発明の概要】
【発明が解決しようとする課題】
【０００５】
自己組織化ネットワーク(SON)が、モバイル通信ネットワークの構成、管理、および最適化の、簡略化と高速化を試みている。SONは、自動近隣関係(ANR)機能を含み得る。ネットワーク事業者(たとえば、サービング基地局を含む)は、近くのセル(たとえば、異なるネットワーク事業者により運用され得る、近隣の基地局の近隣セル)の近隣リストを維持し得る。ANRでは、UEは、近隣リストに自動的に追加される検出されたセルを、スキャンし、検出し、報告する。しかしながら、従来のANR技法は、ANR機能、たとえば同期信号の送信のための近隣セルビームフォーミング技法のために使用される情報について、検出されたセルを非効率的にスキャンすることがある。したがって、近隣セルのスキャン、検出、および報告のための改善された技法が望まれ得る。
【課題を解決するための手段】
【０００６】
説明される技法は、グローバルセル識別子(CGI)報告のための測定構成をサポートする、改善された方法、システム、デバイス、または装置に関する。一般に、説明される技法は、異なる無線アクセス技術(RAT)もしくは展開に従って動作する異なるネットワーク事業者により運営される近隣のセルの存在下で、および/または、ミリメートル波(mmW)もしくはビームフォーミングされた送信を使用して動作する近隣のセルの存在下で、改善されたネットワーク自動近隣関係(ANR)機能を可能にする。
【０００７】
サービング基地局はANR機能をサポートすることができ、ネットワーク事業者(たとえば、サービング基地局を提供する)は、ハンドオーバー手順、基地局間の協調通信などのために、近隣セルの近隣リストを維持し得る。ワイヤレスデバイス(たとえば、ユーザ機器(UE))は、近隣基地局の第1のセルの無線周波数帯域において第1の同期信号ブロック(SSB)を受信することができ、第1のセルの物理セル識別子(PCI)をサービング基地局に報告することができ、PCIは受信された第1のSSBから特定される。サービング基地局は、PCIを受信し、PCIが既知である(たとえば、近隣リスト上に存在する)かまたは未知である(たとえば、近隣リストのエントリと関連付けられない)かを特定し得る。サービング基地局が近隣セルを近隣リストに追加する場合(たとえば、UEからの報告されたPCIが未知であるシナリオにおいて)、サービング基地局は、近隣基地局のCGI(たとえば、近隣基地局と関連付けられる近隣セルと関連付けられるCGI)を報告するようにとのUEに対する命令を送信し得る。UEは、(たとえば、近隣セルと関連付けられる残存最小システム情報(RMSI)またはシステム情報ブロック(SIB)タイプ1(SIB1)を受信することによって)近隣基地局と関連付けられるCGIを特定し、CGIをサービングセルに報告し得る。ネットワーク事業者またはサービング基地局は次いで、近隣セルに対応するPCI、CGI、または両方を用いて近隣リストを更新し得る。
【０００８】
いくつかの例では、サービング基地局は、第1のSSB(たとえば、UEによって報告されるPCIがそれから導出されたSSB)の無線周波数帯域が(たとえば、UEによって)同期ラスタにおいて受信されたかどうかを特定し、それに従って、近隣セルと関連付けられるCGIを報告するようにUEに命令するかどうかを決定し得る。たとえば、サービング基地局は、第1のSSBと関連付けられる無線周波数帯域を特定することができ(たとえば、サービング基地局は、PCI測定報告に含まれる測定IDからSSBの周波数位置を導出することができ)、SSBと関連付けられる周波数が同期ラスタの中にある(たとえば、同期ラスタによって定義される周波数と関連付けられる)か、または同期ラスタから離れているかを決定することができる。報告されたPCIと関連付けられるSSBが同期ラスタの中にあるシナリオでは、基地局は、近隣セルと関連付けられるCGIを報告するようにUEに命令し得る。UEは、第1のSSBと関連付けられるシステム情報を取得することができ(たとえば、UEは近隣セルと関連付けられるSIB1を取得することができ)、システム情報に基づいてCGIを特定することができ、CGIをサービング基地局に送信することができる。報告されたPCIと関連付けられるSSBが同期ラスタから離れているシナリオでは、基地局は、以下の手順のうちの1つに従ってUEに命令し得る。
【０００９】
いくつかの場合、サービング基地局は、第1のSSBが同期ラスタから離れているとき、CGIを報告するようにUEに命令しなくてもよい。他の場合には、サービング基地局は、マスターセル(たとえば、近隣セルと関連付けられる受信されたSSBによって示される、近隣基地局と関連付けられるマスターセル)と関連付けられるシステム情報を取得するために、周波数をジャンプする(たとえば、周波数を切り替える)ようにUEに命令し得る。UEは、システム情報から近隣セルID(たとえば、元のターゲット近隣セルと関連付けられるCGI、または報告された未知のPCIと関連付けられる近隣セル)を導出することができ、近隣セルのCGIをサービング基地局に報告することができる。さらに他の場合には、近隣セルはCGIをブロードキャストするように構成され得る。そのような場合、サービング基地局がCGIを報告するようにUEに命令し、近隣セルからのSSBが同期ラスタから離れているとき、UEは、(たとえば、SSBから)CGIブロードキャストと関連付けられるタイミング基準を決定することができ、ブロードキャストCGIからシステム情報(たとえば、CGI)を受信することができる。さらに他の場合には、UEがCGI要求を送信するために(たとえば、専用アップリンクリソースとして)、アップリンクリソースが確保されることがある。そのような場合、サービング基地局がCGIを報告するようにUEに命令し、近隣セルからのSSBが同期ラスタから離れているとき、UEは、(たとえば、SSBから)CGIのための専用のアップリンクリソースと関連付けられるタイミング基準を決定することができ、CGIのための専用のアップリンクリソースの間に近隣セルからのシステム情報(たとえば、CGI)を要求することができる。UEはCGI要求に応答してシステム情報を受信することができ、UEはCGIをサービング基地局に報告することができる。
【００１０】
UEにおけるワイヤレス通信の方法が説明される。方法は、第2の基地局の第1のセルの無線周波数帯域において第1のSSBを受信するステップと、受信された第1のSSBに基づいて第1のセルのPCIを第1の基地局に報告するステップと、報告されたPCIに応答して第1の基地局から、第2の基地局のCGIを報告するようにとの命令を受信するステップと、受信された命令と、第1のSSBの無線周波数帯域が同期ラスタにおいて受信されたかどうかとに基づいて、CGIを第1の基地局に送信するステップとを含み得る。
【００１１】
UEにおけるワイヤレス通信のための装置が説明される。装置は、プロセッサと、プロセッサと電子的に通信しているメモリと、メモリに記憶された命令とを含み得る。命令は、装置に、第2の基地局の第1のセルの無線周波数帯域において第1のSSBを受信させ、受信された第1のSSBに基づいて第1のセルのPCIを第1の基地局へ報告させ、報告されたPCIに応答して第1の基地局から、第2の基地局のCGIを報告するようにとの命令を受信させ、受信された命令と、第1のSSBの無線周波数帯域が同期ラスタにおいて受信されたかどうかとに基づいて、CGIを第1の基地局へ送信させるように、プロセッサによって実行可能であり得る。
【００１２】
UEにおけるワイヤレス通信のための別の装置が説明される。装置は、第2の基地局の第1のセルの無線周波数帯域において第1のSSBを受信するための手段と、受信された第1のSSBに基づいて第1のセルのPCIを第1の基地局に報告するための手段と、報告されたPCIに応答して第1の基地局から、第2の基地局のCGIを報告するようにとの命令を受信するための手段と、受信された命令と、第1のSSBの無線周波数帯域が同期ラスタにおいて受信されたかどうかとに基づいて、CGIを第1の基地局に送信するための手段とを含み得る。
【００１３】
UEにおけるワイヤレス通信のためのコードを記憶する非一時的コンピュータ可読媒体が説明される。コードは、第2の基地局の第1のセルの無線周波数帯域において第1のSSBを受信し、受信された第1のSSBに基づいて第1のセルのPCIを第1の基地局に報告し、報告されたPCIに応答して第1の基地局から、第2の基地局のCGIを報告するようにとの命令を受信し、受信された命令と、第1のSSBの無線周波数帯域が同期ラスタにおいて受信されたかどうかとに基づいて、CGIを第1の基地局に送信するように、プロセッサによって実行可能な命令を含み得る。
【００１４】
本明細書で説明される方法、装置、および非一時的コンピュータ可読媒体のいくつかの例はさらに、UEによって、第1のSSBが同期ラスタにおいて受信されたと決定するための動作、特徴、手段、または命令を含み得る。本明細書で説明される方法、装置、および非一時的コンピュータ可読媒体のいくつかの例はさらに、第2の基地局から、第1のSSBと関連付けられるシステム情報を受信し、システム情報に基づいてCGIを特定し、CGIを第1の基地局に送信するための動作、特徴、手段、または命令を含み得る。
【００１５】
本明細書で説明される方法、装置、および非一時的コンピュータ可読媒体のいくつかの例はさらに、システム情報が第1のSSBと関連付けられない可能性があると決定し、第2の基地局から、第2のSSBを受信し、第2のSSBが第1のSSBによって少なくとも一部示されてもよく、第2の基地局から、第2のSSBと関連付けられるシステム情報を受信し、第2のSSBが受信された第1のSSBに基づいて受信されてもよく、システム情報に基づいてCGIを特定し、CGIを第1の基地局に送信するための動作、特徴、手段、または命令を含み得る。
【００１６】
本明細書で説明される方法、装置、および非一時的コンピュータ可読媒体のいくつかの例はさらに、UEによって、第1のSSBが同期ラスタから離れて受信されたと決定するための動作、特徴、手段、または命令を含み得る。本明細書で説明される方法、装置、および非一時的コンピュータ可読媒体のいくつかの例はさらに、システム情報が第1のSSBと関連付けられない可能性があると決定し、第2の基地局の第2のセルと関連付けられるシステム情報を決定するようにとの指示を受信し、システム情報に基づいてCGIを特定し、CGIを第1の基地局に送信するための動作、特徴、手段、または命令を含み得る。本明細書で説明される方法、装置、および非一時的コンピュータ可読媒体のいくつかの例では、第2のセルは、非スタンドアロンモードで動作する第2の基地局のマスターLTE eNBを含む。
【００１７】
本明細書で説明される方法、装置、および非一時的コンピュータ可読媒体のいくつかの例はさらに、受信された第1のSSBに少なくとも一部基づいてブロードキャストCGIと関連付けられるタイミング基準を決定し、第2の基地局から、タイミング基準と関連付けられる送信パターンに基づいてブロードキャストCGIを受信し、ブロードキャストCGIに基づいてCGIを特定し、CGIを第1の基地局に送信するための動作、特徴、手段、または命令を含み得る。本明細書で説明される方法、装置、および非一時的コンピュータ可読媒体のいくつかの例では、送信パターンのパラメータは、送信周期およびオフセットを含む。本明細書で説明される方法、装置、および非一時的コンピュータ可読媒体のいくつかの例では、送信パターンのパラメータは、システム情報から取得され得る。
【００１８】
本明細書で説明される方法、装置、および非一時的コンピュータ可読媒体のいくつかの例はさらに、受信された第1のSSBに少なくとも一部基づいてCGIのための専用のリソースと関連付けられるタイミング基準を決定し、タイミング基準と関連付けられる送信パターンに基づいて専用のリソースにおいてCGI要求を送信し、送信されたCGI要求に基づいてCGIを受信し、CGIを第1の基地局に送信するための動作、特徴、手段、または命令を含み得る。
【００１９】
本明細書で説明される方法、装置、および非一時的コンピュータ可読媒体のいくつかの例では、CGIのための専用のリソースの送信パターンのパラメータは、送信周期およびオフセットを含む。本明細書で説明される方法、装置、および非一時的コンピュータ可読媒体のいくつかの例では、CGIのための専用のリソースの送信パターンのパラメータは、システム情報から取得され得る。
【００２０】
本明細書で説明される方法、装置、および非一時的コンピュータ可読媒体のいくつかの例では、CGI要求はランダムアクセス手順の要求において送信されてもよく、CGIはランダムアクセス手順の応答において受信されてもよい。本明細書で説明される方法、装置、および非一時的コンピュータ可読媒体のいくつかの例では、CGIを報告するようにとの命令は、第1のSSBが同期ラスタにおいて受信されたという第1の基地局による決定に基づいて、第1の基地局によって送信され得る。
【００２１】
本明細書で説明される方法、装置、および非一時的コンピュータ可読媒体のいくつかの例では、PCIを報告することは、第1のセルのPCIと、第1のSSBを受信することに関連付けられる測定識別子とを含む測定報告を送信するための動作、特徴、手段、または命令を含んでもよく、CGIを報告するようにとの命令は、PCIおよび測定識別子に基づいてもよい。本明細書で説明される方法、装置、および非一時的コンピュータ可読媒体のいくつかの例はさらに、第1のブロードキャストCGIメッセージにおいてCGIの第1の部分を受信し、第2のブロードキャストCGIメッセージにおいてCGIの第2の部分を受信し、第1の部分および第2の部分に基づいてCGIを特定するための動作、特徴、手段、または命令を含み得る。
【００２２】
本明細書で説明される方法、装置、および非一時的コンピュータ可読媒体のいくつかの例はさらに、SSBのセットのうちの1つまたは複数のSSBに基づいてCGIブロードキャストパターンを特定し、特定されたCGIブロードキャストパターンに基づいてCGIを受信するための動作、特徴、手段、または命令を含み得る。本明細書で説明される方法、装置、および非一時的コンピュータ可読媒体のいくつかの例では、第2の基地局は近隣の基地局を含み、第1の基地局はサービング基地局を含む。第1の基地局におけるワイヤレス通信の方法が説明される。方法は、UEから、第2の基地局の第1のセルのPCIを受信するステップと、PCIを特定するために使用される第1のSSBの無線周波数帯域が同期ラスタにおいて受信されたかどうかを特定するステップと、特定に基づいて、第2の基地局のCGIを報告するようにUEに命令するかどうかを決定するステップとを含み得る。
【００２３】
第1の基地局におけるワイヤレス通信のための装置が説明される。装置は、プロセッサと、プロセッサと電子的に通信しているメモリと、メモリに記憶された命令とを含み得る。命令は、装置に、UEから、第2の基地局の第1のセルのPCIを受信させ、PCIを特定するために使用される第1のSSBの無線周波数帯域が同期ラスタにおいて受信されたかどうかを特定させ、特定に基づいて、第2の基地局のCGIを報告するようにUEに命令するかどうかを決定させるように、プロセッサによって実行可能であり得る。第1の基地局におけるワイヤレス通信のための別の装置が説明される。装置は、UEから、第2の基地局の第1のセルのPCIを受信するための手段と、PCIを特定するために使用される第1のSSBの無線周波数帯域が同期ラスタにおいて受信されたかどうかを特定するための手段と、特定に基づいて、第2の基地局のCGIを報告するようにUEに命令するかどうかを決定するための手段とを含み得る。
【００２４】
第1の基地局におけるワイヤレス通信のためのコードを記憶する非一時的コンピュータ可読媒体が説明される。コードは、UEから、第2の基地局の第1のセルのPCIを受信し、PCIを特定するために使用される第1のSSBの無線周波数帯域が同期ラスタにおいて受信されたかどうかを特定し、特定に基づいて、第2の基地局のCGIを報告するようにUEに命令するかどうかを決定するように、プロセッサによって実行可能な命令を含み得る。本明細書で説明される方法、装置、および非一時的コンピュータ可読媒体のいくつかの例はさらに、第1のSSBが同期ラスタにおいて受信されたという決定に基づいて、CGIを報告するようにとのUEに対する命令を送信し、命令に基づいてUEからCGIを受信するための動作、特徴、手段、または命令を含み得る。
【００２５】
本明細書で説明される方法、装置、および非一時的コンピュータ可読媒体のいくつかの例はさらに、第1のSSBが同期ラスタから離れて受信されたという決定に基づいて、CGIを報告するようにUEに命令するのを控えるための動作、特徴、手段、または命令を含み得る。本明細書で説明される方法、装置、および非一時的コンピュータ可読媒体のいくつかの例はさらに、第1のSSBが同期ラスタから離れて受信されたという決定に基づいて、CGIを報告するようにとのUEに対する命令を送信し、送信された命令に基づいてUEからCGIを受信するための動作、特徴、手段、または命令を含み得る。
【００２６】
本明細書で説明される方法、装置、および非一時的コンピュータ可読媒体のいくつかの例はさらに、CGIを特定するために第2の基地局の第2のセルからシステム情報を取得するようにとのUEに対する命令を送信し、送信された命令に応答してUEからCGIを受信するための動作、特徴、手段、または命令を含み得る。本明細書で説明される方法、装置、および非一時的コンピュータ可読媒体のいくつかの例では、第2のセルは、非スタンドアロンモードで動作する第1の基地局のマスターLTE eNBを含む。
【００２７】
本明細書で説明される方法、装置、および非一時的コンピュータ可読媒体のいくつかの例はさらに、UEにCGI報告構成を送信し、UEから、送信されたCGI報告構成に基づいて構成されるCGI報告においてCGIを受信するための動作、特徴、手段、または命令を含み得る。本明細書で説明される方法、装置、および非一時的コンピュータ可読媒体のいくつかの例はさらに、UEがセルレベル測定を測定して報告すべきであり得ることを示すCGI報告構成をUEに送信するための動作、特徴、手段、または命令を含み得る。
【００２８】
本明細書で説明される方法、装置、および非一時的コンピュータ可読媒体のいくつかの例はさらに、UEがビームレベル測定を測定して報告すべきであり得ることを示すCGI報告構成をUEに送信するための動作、特徴、手段、または命令を含み得る。本明細書で説明される方法、装置、および非一時的コンピュータ可読媒体のいくつかの例では、ビームレベル測定はビーム識別子を含む。本明細書で説明される方法、装置、および非一時的コンピュータ可読媒体のいくつかの例では、ビームレベル測定はビーム品質を含む。本明細書で説明される方法、装置、および非一時的コンピュータ可読媒体のいくつかの例では、ビームレベル測定はビーム識別子およびビーム品質を含む。
【図面の簡単な説明】
【００２９】
【図１】本開示の態様による、グローバルセル識別子報告のための測定構成をサポートするワイヤレス通信システムの例を示す図である。
【図２】本開示の態様による、グローバルセル識別子報告のための測定構成をサポートするワイヤレス通信システムの例を示す図である。
【図３】本開示の態様による、グローバルセル識別子報告のための測定構成をサポートするプロセスフローの例を示す図である。
【図４】本開示の態様による、グローバルセル識別子報告のための測定構成をサポートするプロセスフローの例を示す図である。
【図５】本開示の態様による、グローバルセル識別子報告のための測定構成をサポートするプロセスフローの例を示す図である。
【図６】本開示の態様による、グローバルセル識別子報告のための測定構成をサポートするプロセスフローの例を示す図である。
【図７】本開示の態様による、グローバルセル識別子報告のための測定構成をサポートするデバイスのブロック図である。
【図８】本開示の態様による、グローバルセル識別子報告のための測定構成をサポートするデバイスのブロック図である。
【図９】本開示の態様による、グローバルセル識別子報告のための測定構成をサポートするデバイスのブロック図である。
【図１０】本開示の態様による、グローバルセル識別子報告のための測定構成をサポートするデバイスを含むシステムの図である。
【図１１】本開示の態様による、グローバルセル識別子報告のための測定構成をサポートするデバイスのブロック図である。
【図１２】本開示の態様による、グローバルセル識別子報告のための測定構成をサポートするデバイスのブロック図である。
【図１３】本開示の態様による、グローバルセル識別子報告のための測定構成をサポートするデバイスのブロック図である。
【図１４】本開示の態様による、グローバルセル識別子報告のための測定構成をサポートするデバイスを含むシステムの図である。
【図１５】本開示の態様による、グローバルセル識別子報告のための測定構成をサポートする方法を示すフローチャートである。
【図１６】本開示の態様による、グローバルセル識別子報告のための測定構成をサポートする方法を示すフローチャートである。
【図１７】本開示の態様による、グローバルセル識別子報告のための測定構成をサポートする方法を示すフローチャートである。
【図１８】本開示の態様による、グローバルセル識別子報告のための測定構成をサポートする方法を示すフローチャートである。
【図１９】本開示の態様による、グローバルセル識別子報告のための測定構成をサポートする方法を示すフローチャートである。
【図２０】本開示の態様による、グローバルセル識別子報告のための測定構成をサポートする方法を示すフローチャートである。
【図２１】本開示の態様による、グローバルセル識別子報告のための測定構成をサポートする方法を示すフローチャートである。
【図２２】本開示の態様による、グローバルセル識別子報告のための測定構成をサポートする方法を示すフローチャートである。
【発明を実施するための形態】
【００３０】
いくつかの場合、ワイヤレスネットワークのデータレートとカバレッジ範囲との間に反比例の関係がある。一般に、データレートが上がるにつれて、カバレッジ範囲は狭くなる。この反比例の関係により、ネットワーク事業者は、カバレッジと容量の問題に対処するためにより多くのセル(たとえば、基地局、ピコセル、フェムトセルなど)を展開することが必要になり得る。セルは通常、近くのセルの近隣リストを(たとえば、別の近くのセルとの間でのユーザ機器(UE)のハンドオーバーを可能にするために、セル間の送信を調整または管理するために、など)維持し得る。さらに、近くのセルは、異なる無線アクセス技術(RAT)または展開(たとえば、ワイヤレス通信システムは、Long Term Evolution(LTE)セル、LTE-Advanced(LTE-A)セル、New Radio(NR)セルと呼ばれ得る第5世代(5G)セルなど)と関連付けられ得る。ネットワーク内のセルの数が増大し続ける中で、セルのための近隣リストを手動で構成して最適化することは、ますます複雑になっており、誤りが起こりやすい仕事である。
【００３１】
この問題に対処するために、自己組織化ネットワーク(SON)が、自動近隣関係(ANR)機能を使用して、近隣リストを自動的に作成して維持し得る。すなわち、ANR機能が基地局間の関係を生み出すことがあり、これが、基地局間の接続を確立するために、およびモビリティ、負荷平衡、デュアルコネクティビティなどをサポートするために使用されることがある。最初に、UEが、検出範囲内のセルのローカルセル識別子(たとえば、物理セル識別子(PCI))を定期的にスキャンし、1つまたは複数の検出されたPCIとともにPCI報告をUEのサービング基地局に送信し得る。サービング基地局は次いで、その近隣リストが検出されたPCIのためのエントリを含むかどうかを決定し得る。近隣リストが検出されたPCIの1つまたは複数に対応するエントリを有しない場合、サービング基地局は、あらゆる未知のセルのグローバルセル識別子(たとえば、セルグローバル識別情報(CGI))を測定するようにUEに命令し得る。グローバルセル識別子は、それを通じてセルが一意に識別され得る識別子を指し得る。たとえば、CGIは、公衆陸上移動網(PLMN)識別子、ローカルエリアコード(LAC)、およびセル識別子からなっていてもよい(たとえば、CGIは、PLMN+LAC+Cell IDに基づいて決定されてもよい)。CGI検出は、未知のセルのマスター情報ブロック(MIB)とシステム情報ブロック(SIB)の両方のUEによる復号を含み得る(たとえば、CGIは近隣セルのSIB1から決定され得る)。
【００３２】
いくつかのワイヤレス通信システム(たとえば、NRシステムなど)では、ミリメートル波(mmW)帯域において動作するデバイスは、ビームフォーミングを可能にするために複数のアンテナを有し得る。すなわち、基地局は、複数のアンテナまたはアンテナアレイを使用して、(たとえば、高周波と関連付けられる信号の減衰、マルチパス問題などを克服するために)UEとの指向性通信のためのビームフォーミング動作を行い得る。ビームフォーミング(空間フィルタリングまたは指向性送信と呼ばれることもある)は、アンテナビーム全体をシェーピングし、かつ/またはターゲット受信機(たとえば、UE)の方向にステアリングするために、送信機(たとえば、基地局)において使用され得る信号処理技法である。これは、特定の角度における送信信号が強め合う干渉を受け、一方、他の送信信号が弱め合う干渉を受けるように、アンテナアレイ内の要素を組み合わせることによって達成され得る。
【００３３】
そのようなシステムにおいて、(たとえば、PCIなどの、近隣セルのための識別情報を決定するための)近隣セルの検出は、同期信号ブロック(SSB)に基づき得る。基地局はSSB(たとえば、時間リソースおよび周波数リソースのセットを介して送信される信号のグループ)を送信してもよく、SSBは発見基準信号または他の同期信号を含んでもよい。たとえば、SSBは、1次同期信号(PSS)、2次同期信号(SSS)、1つまたは複数の物理ブロードキャストチャネル(PBCH)信号、または他の同期信号もしくは基準信号を含み得る。いくつかの例では、SSBに含まれる信号は、時分割多重化され得る。他の例では、PBCH送信は、SSB時間リソースのサブセットにおいて(たとえば、SSBブロックの2つのシンボルにおいて)送信されてもよく、同期信号(たとえば、PSSおよびSSS)は、SSB時間リソースの別のサブセットにおいて送信されてもよい。さらに、たとえばmmW送信周波数を使用する展開では、複数のSSBが同期信号(SS)バーストにおけるビーム掃引を使用して異なる方向に送信されてもよく、SSバーストは、SSバーストセットに従って定期的に送信されてもよい。
【００３４】
いくつかの例では、したがって、NRシステムは、UEが同期信号を受信して復号し得る可能性のある場所を指定し得る、同期ラスタ(synchronization raster)(これはいくつかの場合、同期ラスタ(sync raster)、同期信号ラスタなどと呼ばれ得る)を含んでもよく、そのような可能性のある場所は、所与のチャネルの中心周波数と必ずしも一致しない。いくつかの例では、PBCHペイロードの中のSSBインデックスインジケータは、対応するSSBのビーム方向を示し得る。たとえば、sub-6システム(たとえば、6GHz未満のRF帯域を使用して通信するシステム)のための可能なビーム方向の最大の数は8であり、一方でabove-6システム(たとえば、6GHzより上のRF帯域を使用して通信するシステム)のための可能なビーム方向の数は64である。いくつかの場合、同期ラスタは、チャネルの共通の物理リソースブロック(PRB)グリッドと揃っていないことがあり、基地局は、PBCHのフィールドのうちの1つを使用して、同期信号と共通のPRBとの間の周波数オフセットを示してもよい。
【００３５】
以下でさらに説明される技法によれば、近隣のセルのPCIは、近隣のセルのSSBから復号され得る(たとえば、PCIは、SSBに含まれる1次同期信号(PSS)および2次同期信号(SSS)から復号され得る)。いくつかの場合(たとえば、近隣のNRセルの存在下において)、近隣セルのPCI、CGIなどを含むSSBは、(たとえば、サービングセルの)同期ラスタの中にあることがあり、または同期ラスタから離れていることがある。基地局がCGIを要求する場合(たとえば、UEが未知のPCI、または基地局の近隣リスト上にまだ存在しないPCIを報告する場合)、UEの技法および手順は、近隣セルと関連付けられるSSBが同期ラスタの中にあるか、または同期ラスタから離れているかどうかを考慮し得る。
【００３６】
たとえば、近隣セルからのSSBが同期ラスタにおいて受信される場合、UE(たとえば、SSBを受信するUE)は、SSBのSIB1を直接特定してもよく(たとえば、またはいくつかの場合、SIB1を含む別のSSBを特定してもよく、この場合別のSSBは以前に受信されたSSBによって示されてもよい)、グローバルセルIDをネットワークに報告してもよい(たとえば、UEは、近隣セルと関連付けられるSSBのSIB1からCGIを特定し、CGIをサービング基地局に報告してもよい)。
【００３７】
他の例では(たとえば、近隣セルが非スタンドアロンセルであるとき)、近隣セルからのSSBは、同期ラスタから離れて受信され得る。いくつかの場合、基地局は、PCIと関連付けられる周波数が同期ラスタから離れている場合、CGI報告手順を開始しなくてもよい(たとえば、基地局は、同期ラスタの中のSSBと関連付けられるセルのCGIだけを測定するようにUEに命令してもよい)。他の場合には、UEは、近隣セルID(たとえば、近隣セルと関連付けられるCGI)を導出するために、近隣セルと関連付けられる示されるマスターセルのSIB1にジャンプしてもよい。すなわち、UEは、いくつかの場合、示されるマスターセルのSIB1を測定するように基地局によって命令されることがあり、示されるマスターセルのSIB1は、対応する近隣セルと関連付けられるCGIを含むことがある(たとえば、近隣NRセルなどの、近隣セルと関連付けられるマスターLTE eNBは、SIB1の中に近隣NRセルのCGIを含めることがある)。いくつかの例では、セル(たとえば、近隣セル)は、何らかの疎な送信パターンでグローバルセルIDをブロードキャストするように構成され得る(たとえば、CGIは常にSIB1においてブロードキャストされるとは限らない)。そのような例では、UEは、同期ラスタから離れて受信されるSSBからタイミング基準(たとえば、ブロードキャストCGIと関連付けられる)を決定してもよく、ブロードキャストCGIを待機して受信されたCGIを基地局に報告してもよい。さらに他の例では、アップリンクリソースは、UEがCGIに対する要求を送信することに専用であってもよい。そのような場合、CGI報告に専用のアップリンクリソースは、受信されたSSBから特定されてもよく、UEは、SSBを通じてタイミング基準を決定し、CGIを要求するための専用のアップリンクリソースを待機してもよい。最新の専用のアップリンクリソースが来ると、UEは、専用のアップリンクリソースにおいて第1のランダムアクセスメッセージ(たとえば、CGI要求、ランダムアクセスチャネル(RACH)プリアンブル、または2ステップのRACH手順のRACH Msg1)を送信してもよく、近隣セルは、第2のランダムアクセスメッセージにおいて(たとえば、CGI応答、ランダムアクセス要求(RAR)、または2ステップのRACH手順のRACH Msg2において)CGIをUEに送信してもよい。UEは次いで、ANR機能のために、受信されたCGIをサービング基地局に報告し得る。
【００３８】
いくつかの場合、ワイヤレス通信システムはまた、CGI報告のために無線リソース管理(RRM)構成を利用してもよく、たとえばこの場合、UEのためのCGI報告構成は、RRMシグナリングを使用してネットワークによって(たとえば、UEのためのサービング基地局を介して)構成されてもよい。いくつかの場合、セル固有の測定および報告が構成され得る。他の場合には、ビーム固有の測定および報告が構成され得る。いくつかの場合、セル固有の測定および報告とビーム固有の測定および報告との組合せが構成され得る。たとえば、セルレベルの測定および報告は、SSBに基づいてもよく、またはいくつかの場合、基準信号受信電力(RSRP)、基準信号受信品質(RSRQ)、信号対干渉および雑音比(SINR)などに基づいてもよく、ビームレベルの測定および報告はSSBに基づいてもよい。さらに、報告タイプは、ビームレベル測定の報告なし、またはビームインデックスの報告、またはビームインデックスおよびビームレイヤ3(L3)フィルタリングされたRSRP/RSRQ/SINRの報告などを含み得る。
【００３９】
有利なことに、これらの技法は改善されたANR機能を可能にし得る。具体的には、説明される技法は、サービングセルと関連付けられる同期ラスタから離れている同期信号と近隣セルが関連付けられるとき、ANRおよびCGIの報告を可能にし得る。結果として、サービング基地局は、非スタンドアロンセル、または異なる展開もしくはRATのもとにあるセルを含み得る、未知のセルのためのエントリを含むように、サービング基地局の近隣リストを更新および/または最適化することが可能であり得る。したがって、サービング基地局は、より効率的なハンドオーバー、改善された通信協調などを構成することが可能であることがあり、これにより、ネットワーク性能が改善し、未知のセルまたは近隣セルとの間でのハンドオーバーが可能になり得る。
【００４０】
最初に、本開示の態様がワイヤレス通信システムの文脈で説明される。本開示のさらなる態様は、追加のワイヤレス通信システムおよびプロセスフローの文脈で説明される。本開示の態様はさらに、グローバルセル識別子報告のための測定構成に関する装置図、システム図、およびフローチャートによってさらに示され、それらを参照して説明される。
【００４１】
図1は、本開示の態様による、グローバルセル識別子報告のための測定構成をサポートするワイヤレス通信システム100の例を示す。ワイヤレス通信システム100は、基地局105と、UE115と、コアネットワーク130とを含む。いくつかの例では、ワイヤレス通信システム100は、Long Term Evolution(LTE)ネットワーク、LTE-Advanced(LTE-A)ネットワーク、LTE-A Proネットワーク、またはNew Radio(NR)ネットワークであり得る。いくつかの場合、ワイヤレス通信システム100は、拡張ブロードバンド通信、超高信頼性(たとえば、ミッションクリティカル)通信、低レイテンシ通信、または低コストおよび低複雑度のデバイスとの通信をサポートし得る。
【００４２】
基地局105は、1つまたは複数の基地局アンテナを介して、UE115とワイヤレスに通信し得る。本明細書で説明される基地局105は、トランシーバ基地局、無線基地局、アクセスポイント、無線トランシーバ、NodeB、eNodeB(eNB)、次世代NodeBもしくはgiga-NodeB(それらのうちのいずれもgNBと呼ばれることがある)、Home NodeB、Home eNodeB、またはいくつかの他の好適な用語を含むことがあり、あるいは当業者によってそのように呼ばれることがある。ワイヤレス通信システム100は、異なるタイプの基地局105(たとえば、マクロセル基地局またはスモールセル基地局)を含み得る。本明細書で説明されるUE115は、マクロeNB、スモールセルeNB、gNB、中継基地局などを含む、様々なタイプの基地局105およびネットワーク機器と通信することが可能であり得る。
【００４３】
各基地局105は、様々なUE115との通信がサポートされる特定の地理的カバレッジエリア110と関連付けられ得る。各基地局105は、通信リンク125を介してそれぞれの地理的カバレッジエリア110のための通信カバレッジを提供することができ、基地局105とUE115との間の通信リンク125は、1つまたは複数のキャリアを利用することができる。ワイヤレス通信システム100において示される通信リンク125は、UE115から基地局105へのアップリンク送信、または基地局105からUE115へのダウンリンク送信を含み得る。ダウンリンク送信は順方向リンク送信と呼ばれることもあり、アップリンク送信は逆方向リンク送信と呼ばれることもある。
【００４４】
基地局105のための地理的カバレッジエリア110は、地理的カバレッジエリア110の一部分のみを構成するセクタに分割されてもよく、セクタはそれぞれセルと関連付けられてもよい。たとえば、各基地局105は、マクロセル、スモールセル、ホットスポット、もしくは他のタイプのセル、またはそれらの様々な組合せのための通信カバレッジを提供し得る。いくつかの例では、基地局105は可動であり、したがって、移動している地理的カバレッジエリア110のための通信カバレッジを提供し得る。いくつかの例では、異なる技術と関連付けられる異なる地理的カバレッジエリア110は、重複することがあり、異なる技術と関連付けられる、重複する地理的カバレッジエリア110は、同じ基地局105によって、または異なる基地局105によってサポートされることがある。ワイヤレス通信システム100は、たとえば、異なるタイプの基地局105が様々な地理的カバレッジエリア110のためのカバレッジを提供する、異種LTE/LTE-A/LTE-A ProまたはNRネットワークを含み得る。
【００４５】
「セル」という用語は、(たとえば、キャリア上での)基地局105との通信のために使用される論理通信エンティティを指し、同じまたは異なるキャリアを介して動作する近隣セルを区別するための識別子(たとえば、物理セル識別子(PCID)、仮想セル識別子(VCID))と関連付けられ得る。いくつかの例では、キャリアは、複数のセルをサポートすることがあり、異なるセルは、異なるタイプのデバイスのためのアクセスを提供し得る異なるプロトコルタイプ(たとえば、マシンタイプ通信(MTC)、狭帯域Internet-of-Things(NB-IoT)、拡張モバイルブロードバンド(eMBB)、または他のもの)に従って構成され得る。いくつかの場合、「セル」という用語は、その上で論理エンティティが動作する地理的カバレッジエリア110(たとえば、セクタ)の一部分を指すことがある。
【００４６】
UE115は、ワイヤレス通信システム100全体にわたって分散していることがあり、各UE115は固定式または移動式であり得る。UE115はまた、モバイルデバイス、ワイヤレスデバイス、リモートデバイス、ハンドヘルドデバイス、もしくは加入者デバイス、または何らかの他の適切な用語で呼ばれることがあり、「デバイス」はユニット、局、端末、またはクライアントと呼ばれることもある。UE115はまた、携帯電話、携帯情報端末(PDA)、タブレットコンピュータ、ラップトップコンピュータ、またはパーソナルコンピュータなどの個人用電子デバイスであり得る。いくつかの例では、UE115は、ワイヤレスローカルループ(WLL)局、Internet of Things(IoT)デバイス、Internet of Everything(IoE)デバイス、またはMTCデバイスなどを指すこともあり、これらは、家電機器、車両、メータなどの様々な物品において実装され得る。
【００４７】
MTCデバイスまたはIoTデバイスなどの、いくつかのUE115は、低コストまたは低複雑度のデバイスであることがあり、機械間の自動化された通信を(たとえば、マシンツーマシン(M2M)通信を介して)可能にすることがある。M2M通信またはMTCは、人が介在することなく、デバイスが互いにまたは基地局105と通信することを可能にするデータ通信技術を指すことがある。いくつかの例では、M2M通信またはMTCは、センサまたはメータを組み込んで情報を測定または捕捉し、その情報を利用できる中央サーバもしくはアプリケーションプログラムにその情報を中継するか、またはプログラムもしくはアプリケーションと対話する人間にその情報を提示する、デバイスからの通信を含むことがある。いくつかのUE115は、情報を集めるか、または機械の自動化された挙動を可能にするように設計され得る。MTCデバイスのための適用例の例は、スマートメータリング、在庫監視、水位監視、機器監視、ヘルスケア監視、野生生物監視、天候事象および地質学的事象の監視、船団の管理および追跡、リモートセキュリティ検知、物理的アクセス制御、ならびに取引ベースのビジネスの課金を含む。
【００４８】
いくつかのUE115は、半二重通信などの、電力消費を低減する動作モード(たとえば、送信または受信を介した単方向通信をサポートするが、送信および受信を同時にはサポートしないモード)を利用するように構成され得る。いくつかの例では、半二重通信は、低減されたピークレートで実行され得る。UE115のための他の電力節約技法は、アクティブな通信に関与していないとき、省電力「ディープスリープ」モードに入ること、または(たとえば、狭帯域通信に従って)限られた帯域幅にわたって動作することを含む。いくつかの場合、UE115は、重要な機能(たとえば、ミッションクリティカル機能)をサポートするように設計されることがあり、ワイヤレス通信システム100はこれらの機能のために超高信頼性通信を提供するように構成されることがある。
【００４９】
いくつかの場合、UE115はまた、(たとえば、ピアツーピア(P2P)プロトコルまたはデバイスツーデバイス(D2D)プロトコルを使用して)他のUE115と直接通信することが可能であり得る。D2D通信を利用するUE115のグループのうちの1つまたは複数が、基地局105の地理的カバレッジエリア110内にあり得る。そのようなグループ中の他のUE115は、基地局105の地理的カバレッジエリア110の外にあるか、または別様に基地局105からの送信を受信できないことがある。いくつかの場合、D2D通信を介して通信するUE115のグループは、各UE115がグループの中のあらゆる他のUE115に送信する1対多(1:M)システムを利用し得る。いくつかの場合、基地局105は、D2D通信のためのリソースのスケジューリングを容易にする。他の場合には、D2D通信は、基地局105が関与することなくUE115間で行われる。
【００５０】
基地局105は、コアネットワーク130および互いと通信し得る。たとえば、基地局105は、バックホールリンク132を通じて(たとえば、S1または他のインターフェースを介して)コアネットワーク130とインターフェースし得る。基地局105は、バックホールリンク134上で(たとえば、X2または他のインターフェースを介して)、直接的に(たとえば、基地局105間で直接的に)または間接的に(たとえば、コアネットワーク130を介して)のいずれかで互いに通信し得る。
【００５１】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、evolved packet core(EPC)であってよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含むことがある。MMEは、EPCと関連付けられる基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスに対するアクセスを含み得る。
【００５２】
基地局105などのネットワークデバイスのうちの少なくともいくつかは、アクセスネットワークエンティティなどの下位構成要素を含んでもよく、アクセスネットワークエンティティは、アクセスノードコントローラ(ANC)の例であってもよい。各アクセスネットワークエンティティは、無線ヘッド、スマート無線ヘッド、または送受信ポイント(TRP)と呼ばれ得る、いくつかの他のアクセスネットワーク送信エンティティを通じて、UE115と通信し得る。いくつかの構成では、各アクセスネットワークエンティティまたは基地局105の様々な機能は、様々なネットワークデバイス(たとえば、無線ヘッドおよびアクセスネットワークコントローラ)にわたって分散されることがあり、または単一のネットワークデバイス(たとえば、基地局105)内に統合されることがある。
【００５３】
ワイヤレス通信システム100は、通常は300MHzから300GHzの範囲にある、1つまたは複数の周波数帯域を使用して動作し得る。一般に、300MHzから3GHzの領域は、超高周波(UHF)領域またはデシメートル帯域として知られているが、これは、波長がおよそ1デシメートルから1メートルに及ぶからである。UHF波は、建物および環境特性によって遮蔽されることがあり、または方向転換されることがある。しかしながら、これらの波は、マクロセルが屋内に位置するUE115にサービスを提供するのに十分に構造物を貫通し得る。UHF波の送信は、300MHz以下のスペクトルの高周波(HF)部分または超高周波(VHF)部分のより低い周波数およびより長い波を使用する送信と比較して、より小型のアンテナおよびより短い距離(たとえば、100km未満)と関連付けられ得る。
【００５４】
ワイヤレス通信システム100はまた、センチメートル帯域としても知られている、3GHzから30GHzまでの周波数帯域を使用する超高周波(SHF)領域の中で動作し得る。SHF領域は、他のユーザからの干渉を許容できるデバイスによって機会主義的に使用され得る、5GHzの産業科学医療(ISM)帯域などの帯域を含む。
【００５５】
ワイヤレス通信システム100は、ミリメートル帯域としても知られている、(たとえば、30GHzから300GHzの)スペクトルの極高周波(EHF)領域においても動作し得る。いくつかの例では、ワイヤレス通信システム100は、UE115と基地局105との間のミリメートル波(mmW)通信をサポートすることができ、それぞれのデバイスのEHFアンテナは、UHFアンテナよりも、さらに小さいことがあり、より間隔が密であることがある。いくつかの場合、これは、UE115内でのアンテナアレイの使用を容易にし得る。しかしながら、EHF送信の伝搬は、SHF送信またはUHF送信よりもさらに大きい大気減衰を受け、到達距離がより短いことがある。本明細書で開示される技法は、1つまたは複数の異なる周波数領域を使用する送信にわたって利用されることがあり、これらの周波数領域にわたる帯域の指定された使用は、国ごとにまたは規制団体ごとに異なり得る。
【００５６】
いくつかの場合、ワイヤレス通信システム100は、免許無線周波数スペクトル帯域と免許不要無線周波数スペクトル帯域の両方を利用することができる。たとえば、ワイヤレス通信システム100は、5GHz ISM帯域などの免許不要帯域において、License Assisted Access(LAA)、LTE Unlicensed(LTE-U)無線アクセス技術、またはNR技術を利用し得る。免許不要無線周波数スペクトル帯域で動作するとき、基地局105およびUE115などのワイヤレスデバイスは、データを送信する前に周波数チャネルがクリアであることを保証するために、リッスンビフォアトーク(LBT)手順を利用し得る。いくつかの場合、免許不要帯域における動作は、免許帯域において動作するCCとともにCA構成に基づき得る(たとえば、LAA)。免許不要スペクトルでの動作は、ダウンリンク送信、アップリンク送信、ピアツーピア送信、またはこれらの組合せを含み得る。免許不要スペクトルでの複信は、周波数分割複信(FDD)、時分割複信(TDD)、またはその両方の組合せに基づき得る。
【００５７】
いくつかの例では、基地局105またはUE115は、複数のアンテナを装備することがあり、これらのアンテナは、送信ダイバーシティ、受信ダイバーシティ、多入力多出力(MIMO)通信、またはビームフォーミングなどの技法を採用するために使用され得る。たとえば、ワイヤレス通信システム100は、送信デバイス(たとえば、基地局105)と受信デバイス(たとえば、UE115)との間である送信方式を使用することができ、ここで、送信デバイスは、複数のアンテナを装備し、受信デバイスは、1つまたは複数のアンテナを装備する。MIMO通信は、異なる空間レイヤを介して複数の信号を送信または受信することによってスペクトル効率を高めるためにマルチパス信号伝搬を利用することがあり、これは空間多重化と呼ばれることがある。複数の信号は、たとえば、異なるアンテナまたはアンテナの異なる組合せを介して送信デバイスによって送信され得る。同様に、複数の信号が、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームと関連付けられるビットを搬送し得る。異なる空間レイヤは、チャネル測定および報告のために使用される異なるアンテナポートと関連付けられ得る。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００５８】
空間フィルタリング、指向性送信、または指向性受信とも呼ばれ得るビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局105またはUE115)において使用され得る、信号処理技法である。ビームフォーミングは、アンテナアレイに対して特定の配向で伝搬する信号が強め合う干渉を受け、他の信号が弱め合う干渉を受けるように、アンテナアレイのアンテナ要素を介して通信される信号を組み合わせることによって達成され得る。アンテナ要素を介して通信される信号の調整は、送信デバイスまたは受信デバイスが、デバイスと関連付けられたアンテナ要素の各々を介して搬送される信号に一定の振幅オフセットおよび位相オフセットを適用することを含み得る。アンテナ要素の各々と関連付けられた調整は、(たとえば、送信デバイスもしくは受信デバイスのアンテナアレイに対する、または何らかの他の配向に対する)特定の配向と関連付けられたビームフォーミング重みセットによって定義され得る。
【００５９】
一例では、基地局105は、UE115との指向性通信のためのビームフォーミング動作を行うために、複数のアンテナまたはアンテナアレイを使用し得る。たとえば、一部の信号(たとえば、同期信号、基準信号、ビーム選択信号、または他の制御信号)は、基地局105によって異なる方向に複数回送信されることがあり、これは、信号が異なる送信方向と関連付けられる異なるビームフォーミング重みセットに従って送信されることを含むことがある。異なるビーム方向への送信は、基地局105による後続の送信および/または受信のためのビーム方向を(たとえば、基地局105またはUE115などの受信デバイスによって)特定するために使用され得る。特定の受信デバイスと関連付けられたデータ信号などのいくつかの信号は、基地局105によって単一のビーム方向(たとえば、UE115などの受信デバイスと関連付けられた方向)に送信され得る。いくつかの例では、単一のビーム方向に沿った送信と関連付けられるビーム方向は、異なるビーム方向に送信された信号に少なくとも一部基づいて決定され得る。たとえば、UE115は、基地局105によって異なる方向に送信された信号のうちの1つまたは複数を受信することができ、UE115は、それが最高の信号品質で、または別様に許容可能な信号品質で受信した信号の指示を、基地局105に報告することができる。これらの技法は基地局105によって1つまたは複数の方向に送信される信号に関して説明されるが、UE115は、異なる方向に複数回信号を送信するために(たとえば、UE115による後続の送信または受信のためのビーム方向を特定するために)、または単一の方向に信号を送信するために(たとえば、データを受信デバイスに送信するために)同様の技法を利用し得る。
【００６０】
受信デバイス(たとえば、mmW受信デバイスの例であり得るUE115)は、同期信号、基準信号、ビーム選択信号、または他の制御信号などの様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれもが、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用し得る。単一の受信ビームは、異なる受信ビーム方向に従った聴取に少なくとも一部基づいて決定されたビーム方向(たとえば、複数のビーム方向に従った聴取に少なくとも一部基づいて、最高の信号強度、最高の信号対雑音比、または、別様に許容可能な信号品質を有すると決定されたビーム方向)に揃えられ得る。
【００６１】
いくつかの場合、基地局105またはUE115のアンテナは、MIMO動作をサポートし得るか、またはビームフォーミングを送信もしくは受信し得る、1つまたは複数のアンテナアレイ内に位置し得る。たとえば、1つまたは複数の基地局アンテナまたはアンテナアレイは、アンテナタワーなどのアンテナアセンブリにおいて併置され得る。いくつかの場合、基地局105と関連付けられるアンテナまたはアンテナアレイは、多様な地理的位置に配置され得る。基地局105は、基地局105がUE115との通信のビームフォーミングをサポートするために使用し得るアンテナポートのいくつかの行および列を有するアンテナアレイを有し得る。同様に、UE115は、様々なMIMO動作またはビームフォーミング動作をサポートすることができる1つまたは複数のアンテナアレイを有し得る。
【００６２】
いくつかの場合、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するために、パケットのセグメント化および再アセンブリを実行し得る。媒体アクセス制御(MAC)レイヤは、優先処理、およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００６３】
いくつかの場合、UE115および基地局105は、データが受信に成功する可能性を高めるためにデータの再送信をサポートし得る。HARQフィードバックは、データが通信リンク125上で正しく受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)の中でMACレイヤにおけるスループットを改善し得る。いくつかの場合、ワイヤレスデバイスが同一スロットHARQフィードバックをサポートすることがあり、同一スロットHARQフィードバックにおいて、デバイスは、特定のスロット中の前のシンボルにおいて受信されたデータに対するHARQフィードバックを、そのスロットにおいて提供し得る。他の場合には、デバイスは、後続のスロットの中で、またはいくつかの他の時間間隔に従って、HARQフィードバックを提供し得る。
【００６４】
LTEまたはNRにおける時間間隔は、たとえば、Ts=1/30,720,000秒というサンプリング周期を基準とし得る、基本時間単位の倍数で表され得る。通信リソースの時間間隔は、10ミリ秒(ms)の持続時間を各々が有する無線フレームに従って編成されることがあり、ここで、フレーム期間は、Tf=307,200Tsとして表され得る。無線フレームは、0から1023に及ぶシステムフレーム番号(SFN)によって識別され得る。各フレームは、0から9までの番号を付けられた10個のサブフレームを含んでもよく、各サブフレームは、1msの時間長を有し得る。サブフレームは、0.5msの時間長を各々が有する2つのスロットにさらに分割されてもよく、各スロットは、(たとえば、各シンボル期間にプリペンドされたサイクリックプレフィックスの長さに依存して)6つまたは7つの変調シンボル期間を含み得る。サイクリックプレフィックスを除いて、各シンボル期間は2048個のサンプリング期間を含み得る。いくつかの場合、サブフレームは、ワイヤレス通信システム100の最小スケジューリング単位であってもよく、送信時間間隔(TTI)と呼ばれることがある。他の場合には、ワイヤレス通信システム100の最小スケジューリング単位はサブフレームよりも短いことがあるか、または(たとえば、短縮TTI(sTTI)のバーストにおいて、またはsTTIを使用する選択されたコンポーネントキャリアにおいて)動的に選択されることがある。
【００６５】
いくつかのワイヤレス通信システムでは、スロットは、1個または複数のシンボルを含む複数のミニスロットにさらに分割され得る。いくつかの事例では、ミニスロットのシンボルまたはミニスロットは、スケジューリングの最小単位であり得る。各シンボルは、たとえば、動作のサブキャリア間隔または周波数帯域に応じて、時間長が変わり得る。さらに、一部のワイヤレス通信システムは、UE115と基地局105との間の通信のために複数のスロットまたはミニスロットが一緒に集約されて使用される、スロットアグリゲーションを実装し得る。
【００６６】
「キャリア」という用語は、通信リンク125を介した通信をサポートするための定義された物理レイヤ構造を有する無線周波数スペクトルリソースのセットを指す。たとえば、通信リンク125のキャリアは、所与の無線アクセス技術に対する物理レイヤチャネルに従って動作する無線周波数スペクトル帯域の一部分を含み得る。各物理レイヤチャネルは、ユーザデータ、制御情報、または他のシグナリングを搬送することができる。キャリアは、事前に定義された周波数チャネル(たとえば、E-UTRA絶対無線周波数チャネル番号(EARFCN))と関連付けられることがあり、UE115による発見のためにチャネルラスタに従って配置されることがある。キャリアは、(たとえば、FDDモードでは)ダウンリンクもしくはアップリンクであってよく、または(たとえば、TDDモードでは)ダウンリンク通信およびアップリンク通信を搬送するように構成され得る。いくつかの例では、キャリア上で送信される信号波形は、(たとえば、OFDMまたはDFT-s-OFDMなどのマルチキャリア変調(MCM)技法を使用して)複数のサブキャリアから構成され得る。
【００６７】
キャリアの組織構造は、異なる無線アクセス技術(たとえば、LTE、LTE-A、LTE-A Pro、NRなど)に対して異なり得る。たとえば、キャリアを介した通信は、TTIまたはスロットに従って編成されることがあり、それらの各々が、ユーザデータの復号をサポートするために、ユーザデータならびに制御情報またはシグナリングを含むことがある。キャリアはまた、専用の収集シグナリング(たとえば、同期信号またはシステム情報など)と、そのキャリアに対する動作を協調させる制御シグナリングとを含み得る。いくつかの例では(たとえば、キャリアアグリゲーション構成では)、キャリアはまた、収集シグナリング、または他のキャリアに対する動作を協調させる制御シグナリングを有し得る。
【００６８】
物理チャネルは、様々な技法に従ってキャリア上で多重化され得る。物理制御チャネルおよび物理データチャネルは、ダウンリンクキャリア上で、たとえば、時分割多重化(TDM)技法、周波数分割多重化(FDM)技法、またはハイブリッドTDM-FDM技法を使用して多重化され得る。いくつかの例では、物理制御チャネルにおいて送信される制御情報は、カスケード方式で異なる制御領域の間で(たとえば、共通制御領域または共通探索空間と1つまたは複数のUE固有制御領域またはUE固有探索空間との間で)分散され得る。
【００６９】
キャリアは、無線周波数スペクトルの特定の帯域幅と関連付けられてもよく、いくつかの例では、キャリア帯域幅は、キャリアまたはワイヤレス通信システム100の「システム帯域幅」と呼ばれ得る。たとえば、キャリア帯域幅は、特定の無線アクセス技術のキャリアのためのいくつかの所定の帯域幅(たとえば、1.4、3、5、10、15、20、40、または80MHz)のうちの1つであり得る。いくつかの例では、サービスされる各UE115は、キャリア帯域幅の部分またはすべてにわたって動作するために構成され得る。他の例では、いくつかのUE115は、キャリア内の事前定義された部分または範囲(たとえば、サブキャリアまたはRBのセット)と関連付けられた狭帯域プロトコルタイプを使用する動作(たとえば、狭帯域プロトコルタイプの「帯域内」展開)のために構成され得る。
【００７０】
MCM技法を利用するシステムでは、リソース要素は1つのシンボル期間(たとえば、1つの変調シンボルの時間長)および1つのサブキャリアを含んでもよく、シンボル期間およびサブキャリア間隔は反比例する。各リソース要素によって搬送されるビットの数は、変調方式(たとえば、変調方式の順序)に依存し得る。したがって、UE115が受信するリソース要素が多いほど、かつ変調方式の次数が高いほど、UE115のデータレートは高くなる。MIMOシステムでは、ワイヤレス通信リソースとは、無線周波数スペクトルリソース、時間リソース、および空間リソース(たとえば、空間レイヤ)の組合せを指すことがあり、複数の空間レイヤの使用が、UE115との通信のためのデータレートをさらに高め得る。
【００７１】
ワイヤレス通信システム100のデバイス(たとえば、基地局105またはUE115)は、特定のキャリア帯域幅を介した通信をサポートするハードウェア構成を有してもよく、またはキャリア帯域幅のセットのうちの1つを介した通信をサポートするように構成可能であってもよい。いくつかの例では、ワイヤレス通信システム100は、1より多くの異なるキャリア帯域幅と関連付けられたキャリアを介した同時通信をサポートすることができる基地局105および/またはUE115を含み得る。
【００７２】
ワイヤレス通信システム100は、複数のセルまたはキャリア上でのUE115との通信をサポートすることができ、その特徴は、キャリアアグリゲーション(CA)またはマルチキャリア動作と呼ばれることがある。UE115は、キャリアアグリゲーション構成に従って、複数のダウンリンクCCおよび1つまたは複数のアップリンクCCを用いて構成され得る。キャリアアグリゲーションは、FDDコンポーネントキャリアとTDDコンポーネントキャリアの両方とともに使用され得る。
【００７３】
いくつかの場合、ワイヤレス通信システム100は、拡張コンポーネントキャリア(eCC)を利用し得る。eCCは、より広いキャリアまたは周波数チャネル帯域幅、より短いシンボル時間長、より短いTTI時間長、または修正された制御チャネル構成を含む、1つまたは複数の特徴によって特徴付けられ得る。いくつかの場合、eCCは、(たとえば、複数のサービングセルが準最適または理想的でないバックホールリンクを有するとき)キャリアアグリゲーション構成またはデュアルコネクティビティ構成と関連付けられ得る。eCCはまた、(たとえば、2つ以上の事業者が、スペクトルを使用することを許可される場合)免許不要スペクトルまたは共有スペクトルにおいて使用するために構成され得る。広いキャリア帯域幅によって特徴付けられるeCCは、全キャリア帯域幅を監視することが可能でないか、またはさもなければ(たとえば、電力を節約するために)限られたキャリア帯域幅を使用するように構成されるUE115によって利用され得る、1つまたは複数のセグメントを含み得る。
【００７４】
いくつかの場合、eCCは、他のCCのシンボル時間長と比較して縮小されたシンボル時間長の使用を含み得る、他のCCとは異なるシンボル時間長を利用し得る。より短いシンボル時間長は、隣接するサブキャリア間の間隔の増大と関連付けられ得る。eCCを利用する、UE115または基地局105などのデバイスは、低減されたシンボル時間長(たとえば、16.67マイクロ秒)で、(たとえば、20、40、60、80MHzなどの周波数チャネルまたはキャリア帯域幅による)広帯域信号を送信し得る。eCCの中のTTIは、1つまたは複数のシンボル期間を含み得る。いくつかの場合、TTI時間長(すなわち、TTI中のシンボル期間の数)は可変であり得る。
【００７５】
NRシステムなどのワイヤレス通信システムは、とりわけ、免許スペクトル、共有スペクトル、および免許不要スペクトル帯域の任意の組合せを利用し得る。eCCシンボル時間長およびサブキャリア間隔の柔軟性によって、複数のスペクトルにわたるeCCの使用が可能になり得る。いくつかの例では、特にリソースの動的な(たとえば、周波数領域にわたる)垂直共有および(たとえば、時間領域にわたる)水平共有を通じて、NR共有スペクトルは、スペクトル利用率およびスペクトル効率を高め得る。
【００７６】
基地局105(たとえば、サービング基地局105)はANR機能をサポートすることができ、ネットワーク事業者(たとえば、サービング基地局105)は、ハンドオーバー手順、基地局105間の協調通信などのために、近隣セルの近隣リストを維持し得る。UE115は、近隣基地局105の第1のセルの無線周波数帯域において第1のSSBを受信することができ、(たとえば、受信された第1のSSBから特定される)第1のセルのPCIをサービング基地局105に報告することができる。サービング基地局105は、PCIを受信し、PCIが既知である(たとえば、近隣リスト上に存在する)かまたは未知である(たとえば、近隣リストのエントリと関連付けられない)かを特定し得る。サービング基地局105が近隣セルを近隣リストに追加することを望む場合(たとえば、UE115からの報告されたPCIが未知であるシナリオにおいて)、サービング基地局105は、近隣基地局105のCGI(たとえば、近隣基地局105と関連付けられる近隣セルと関連付けられるCGI)を報告するようにとのUE115に対する命令を送信し得る。UE115は、(たとえば、近隣セルと関連付けられるRMSIまたはSIB1を受信することによって)近隣基地局105と関連付けられるCGIを特定し、CGIをサービングセルに報告し得る。ネットワーク事業者またはサービング基地局105は次いで、近隣セルに対応するPCIおよびCGIを用いて近隣リストを更新し得る。
【００７７】
いくつかの例では、サービング基地局105は、(たとえば、UE115によって報告されるPCIがそれから導出される)第1のSSBの無線周波数帯域が(たとえば、UE115によって)同期ラスタにおいて受信されたかどうかを特定し、それに従って、近隣セルと関連付けられるCGIを報告するようにUE115に命令するかどうかを決定し得る。たとえば、サービング基地局105は、第1のSSBと関連付けられる無線周波数帯域を特定することができ(たとえば、サービング基地局は、PCI測定報告に含まれる測定IDからSSBの周波数位置を導出することができ)、SSBと関連付けられる周波数が同期ラスタの中にある(たとえば、同期ラスタによって定義される周波数と関連付けられる)か、または同期ラスタから離れているかを決定することができる。報告されたPCIと関連付けられるSSBが同期ラスタの中にあるシナリオでは、基地局105は、近隣セルと関連付けられるCGIを報告するようにUE115に命令し得る。UE115は、第1のSSBと関連付けられるシステム情報を取得することができ(たとえば、UEは近隣セルと関連付けられるSIB1を取得することができ)、システム情報に基づいてCGIを特定することができ、CGIをサービング基地局105に送信することができる。報告されたPCIと関連付けられるSSBが同期ラスタから離れているシナリオでは、サービング基地局105は次のようにUE115に命令し得る。
【００７８】
いくつかの場合、サービング基地局105は、第1のSSBが同期ラスタから離れているとき、CGIを報告するようにUE115に命令しなくてもよい。他の場合には、サービング基地局105は、マスターセル(たとえば、近隣セルと関連付けられる受信されたSSBによって示される、近隣基地局105と関連付けられるマスターセル)と関連付けられるシステム情報を取得するために、周波数をジャンプする(たとえば、周波数を切り替える)ようにUE115に命令し得る。UE115は、システム情報から近隣セルID(たとえば、元のターゲット近隣セルと関連付けられるCGI、または報告された未知のPCIと関連付けられる近隣セル)を導出することができ、近隣セルのCGIをサービング基地局105に報告することができる。さらに他の場合には、近隣セルはCGIをブロードキャストするように構成され得る。そのような場合、サービング基地局105がCGIを報告するようにUE115に命令し、近隣セルからのSSBが同期ラスタから離れているとき、UE115は、(たとえば、SSBから)CGIブロードキャストと関連付けられるタイミング基準を決定することができ、ブロードキャストCGIからシステム情報(たとえば、CGI)を受信することができる。さらに他の場合には、UE115がCGI要求を送信するために、専用のアップリンクリソースが確保され得る。そのような場合、サービング基地局105がCGIを報告するようにUE115に命令し、近隣セルからのSSBが同期ラスタから離れているとき、UE115は、(たとえば、SSBから)CGIのための専用のアップリンクリソースと関連付けられるタイミング基準を決定することができ、CGIのための専用アップリンクリソースの間に近隣セルからのシステム情報(たとえば、CGI)を要求することができる。UE115はCGI要求に応答してシステム情報を受信することができ、UE115はCGIをサービング基地局105に報告することができる。
【００７９】
図2は、本開示の態様による、グローバルセル識別子報告のための測定構成をサポートするワイヤレス通信システム200の例を示す。いくつかの例では、ワイヤレス通信システム200は、ワイヤレス通信システム100の態様を実装することができる。ワイヤレス通信システム200は、第1のワイヤレスノード、第2のワイヤレスノード、および第3のワイヤレスノードを含み得る。いくつかの例では、第1のワイヤレスノードは基地局105-aであってもよく、第2のワイヤレスノードは基地局105-bであってもよく、第3のワイヤレスノードはUE115-aであってもよく、これらは図1を参照して説明されたような対応するデバイスの例であってもよい。ワイヤレス通信システム200は、第1の基地局105-a(たとえば、少なくとも第1のセル205-aと関連付けられるサービング基地局)、第2の基地局105-b(たとえば、少なくとも第2のセル205-bおよび第3のセル205-cと関連付けられる近隣基地局)、およびUE115-aを含み得る。
【００８０】
ANR機能のために、基地局105-aは、基地局105-bのCGI(たとえば、基地局105-bと関連付けられるセル205-b)を報告するようにUE115-aに要求し得る(たとえば、そうするようにとの命令を送信することによって)。たとえば、UE115-aは、基地局105-bのセル205-bなどの未知のセルのPCIを検出し、PCIをサービング基地局105-aに報告し得る。サービング基地局105-aは、近隣のセルについての情報を含む近隣リスト(たとえば、近隣関係テーブル)を管理し得る。近隣リストは、各近隣セルに対するエントリを含むデータベースに記憶されたテーブルであり得る。サービング基地局105-aは近隣リストをローカルに記憶してもよく、近隣リストはサービング基地局105-aを含むネットワークの中の何らかの他の位置に記憶されてもよく、またはこれらの両方であってもよい。サービング基地局105-aは、各々の既知の近隣セルに対する(たとえば、いくつかの場合には、セル205-bとセル205-aの両方に対する)エントリを近隣リストの中に含め得る。エントリは、近隣セルの少なくともCGIおよびPCIを含み得る(たとえば、近隣関係テーブルは、特定された近隣セル205と関連付けられる、ローカルセル識別子PCI、およびグローバルセル識別子CGIを含み得る)。この例では、基地局105-aは、基地局105-bの報告されたPCIを処理し、PCIが近隣リストの中のいずれのエントリにも対応しないと決定し、基地局105-bのCGIを測定して報告するようにUE115-aに命令し得る。ワイヤレス通信システム200は、そのようなANR機能を利用して基地局105間の関係を生成し得る。そのような関係は、基地局105間の接続を確立するために、およびモビリティ、負荷平衡、デュアルコネクティビティ、ハンドオーバーなどをサポートするために使用され得る。
【００８１】
UE115-aは、近隣セルと関連付けられるPCIを取得するためにSSBを受信してもよく(たとえば、PSSおよび/もしくはSSSを復号すること、またはSSBの1つもしくは複数の信号を測定することを含む)、UE115-aは、PCIを基地局105-aに報告してもよい。たとえば、PCIは、PCIグループ指示(たとえば、SSSにおいて復号される)およびPCI-ID指示(たとえば、PSSにおいて復号される)から計算され得る。たとえば、SSSは、グループシーケンス番号(たとえば、
【００８２】
【数１】
2021521684.tif 000003
【００８３】
の範囲にある)を示してもよく、PSSは、グループ固有シーケンス番号(たとえば、
【００８４】
【数２】
2021521684.tif 000004
【００８５】
の範囲にある)を示してもよく、これらは一緒に、セルのPCI(たとえば、
【００８６】
【数３】
2021521684.tif 000005
【００８７】
)を示し得る。これらの報告に基づいて、基地局105-aは、たとえばハンドオーバー準備手順をトリガまたは開始するために、受信されたPCIが近隣基地局(たとえば、基地局105-b)に属するかどうかを特定し得る。そのような場合、サービング基地局(たとえば、基地局105-a)は、ローカルに固有な識別子(たとえば、PCI)をグローバルに固有な識別子(たとえば、CGI)と対応付ける近隣関係テーブルを維持し得る。CGIは、PLMN ID(たとえば、国コードおよびネットワークコードの組合せ)とECGI(たとえば、基地局IDとセルIDの組合せ)の組合せを含み得る。たとえば、ワイヤレス通信システム200において、UE115-aは、PCIを含む測定報告またはセル205-bのPCIの指示を基地局105-aに送信し得る。基地局105-aは、PCIが近隣リストに載っていないと決定することがあり、セル205-bのCGI、トラッキングエリアコード(TAC)、およびすべての利用可能なPLMN IDを読み取るようにUE115-aに命令することがある。近隣セル(たとえば、基地局105-bのセル205-b)は、そのPLMN ID、TACなどを、SIB1メッセージにおいてブロードキャストし得る。受信したSIB1メッセージからこれらの値を特定した後で、UE115-aは、(たとえば、基地局105-aへの測定報告において)サービング基地局に検出されたCGIを報告してもよく、基地局105-aは、近隣リストに近隣関係を追加し、または既存の近隣関係を更新してもよい。基地局105-aは、PCIおよび/またはCGIを使用して新しい基地局(たとえば、基地局105-b)に対するトランスポート層アドレスを探し、近隣関係リストを更新し、必要であれば、基地局105-bに対して新しいインターフェース(たとえば、新しいX2インターフェース)を準備し得る。
【００８８】
いくつかの例では、ワイヤレス通信システム200は、ビームフォーミング技法を利用し得る(たとえば、ワイヤレス通信システム200は、mmW周波数を通じてビームフォーミングされた通信をサポートし得る)。いくつかの場合、同期信号はSSBにおいて送信され得る。基地局105-aは、所定の多重化構成を使用してSSB215を送信し得る。たとえば、基地局105-aは、ビーム掃引パターンに従って送信される複数のSSB225を送信し得る(たとえば、複数のSSBは、異なる方向に、または異なる送信ビーム230に従って送信され得る)。たとえば、基地局105-aは、複数のSSB225を含み得るSSバースト220を送信してもよく、SSB225は、異なる送信ビーム230を使用して送信されてもよい(たとえば、SSB225-aは送信ビーム230-aを使用して送信されてもよく、SSB225-bは送信ビーム230-bを使用して送信されてもよく、送信ビーム230-aおよび送信ビーム230-bは、異なる方向、ビームIDなどと関連付けられてもよい)。SSB225は、PSS、SSS、PBCHなどの同期情報を含み得る。たとえば、UE115-aは、ANR機能のためにSSB225のPSS/SSSからPCIを復号し得る。
【００８９】
いくつかの例では、UE115-aは、SSB225についてブロードキャスト制御チャネル(BCCH)を監視し、PSS/SSS(たとえば、これらはPCIを符号化し得る)を特定することによって、他のセル(たとえば、セル205-b、セル205-cなど)を検出し得る。いくつかの場合、UE115-aが、取得されたPSS/SSSから近隣セルIDを自律的に検出してもよい(たとえば、ネットワークまたは基地局105-aは近隣セルリストを提供しなくてもよい)。UE115-aは、目標周波数(たとえば、これは、サービングセルまたは基地局105-aと関連付けられる周波数と同じであってもまたは異なっていてもよい)上である時間枠(たとえば、5ms)をサンプリングすることによって、近隣セルを検出して測定し得る。いくつかの場合、UE115-aは、サンプル内での(たとえば、サンプリング時間枠内での)PSS/SSSの発生(たとえば、他のセル205からの)についてオフラインで検索し得る。
【００９０】
たとえば、いくつかの場合、UE115-aは、何らかの同期ラスタ(たとえば、同期ラスタ、SSラスタなど)に従ってサービングセル205-a(たとえば、NRセル)を監視してもよく、近隣のセル205-bと関連付けられるSSB220を監視して特定してもよい(たとえば、この場合、受信されるSSB220は、サービングセル205-aと関連付けられる同期ラスタの中にあることもまたはそれから離れていることもある)。いくつかの場合、同期ラスタはRF帯域とも呼ばれることがあり、このとき、同期ラスタは、SS信号(たとえば、SSBの中の)が送信され得る周波数位置(たとえば、RF帯域)のセットに相当し得る。すなわち、同期ラスタは、システム取得のためにUE115-aによって使用され得るSSBの周波数位置を示し得る。同期ラスタは、チャネルラスタのサブセットを指すこともあり、チャネルラスタと比較して疎であることもある(たとえば、セル検索のレイテンシが減り得るように)。たとえば、周波数ラスタは500kHzであってもよく、SS帯域幅はたとえば5MHzであってもよく、SSはそれに従って、0〜5MHz、0.5〜5.5MHz、1〜6MHzなどの、システム帯域幅の異なる位置に配置されてもよい。RF帯域情報は、スケジューリング目的で基地局105-aにおいて利用されてもよく、UE115-aが基地局105-aからシグナリングを効率的に受信できるRF帯域上のリソースを効率的に基地局105-aがスケジューリングすることが可能になる。
【００９１】
いくつかの場合、セル205と関連付けられるブロードキャスト同期情報は、セル205のタイプ(たとえば、セル205と関連付けられる展開)に依存し得る。たとえば、セルは、スタンドアロンセルまたは非スタンドアロンセルと呼ばれ得る。たとえば、非スタンドアロンセルは、増強されたモバイルブロードバンドを提供するために、LTE無線アクセスおよびコアネットワークに加えて、5G(またはNR)キャリアを使用し得る。スタンドアロンセルは、たとえばスタンドアロン5Gネットワークにおいて動作するセルを指し得る(たとえば、スタンドアロン5Gセルは、LTEのコアネットワーク、基地局、およびバックホール機構と異なる、コアネットワーク、基地局、バックホール機構などと関連付けられ得る)。たとえば、スタンドアロンセル205は、NRセルとのRRC接続を直接確立するためのRACH手順を可能にし得る。そのようなスタンドアロンセル205はしたがって、SSB225ならびに残存最小システム情報(RMSI)の両方をブロードキャストし得る。RMSIは、SIB1、SIB2などのセルアクセス情報を含み得る(たとえば、これは、セルアクセス関連パラメータ、SIBのスケジューリング、共通および共有のチャネル構成、RACH構成情報などを含み得る。)。いくつかの場合、非スタンドアロンセルは、SSB225をブロードキャストしてもよいが、いくつかの場合、RMSIをブロードキャストしなくてもよい(たとえば、非スタンドアロンセルは、常にCGIをブロードキャストしなくてもよい)。
【００９２】
いくつかの場合、基地局がSSB225のセットを複数のUE115に送信してもよく(たとえば、基地局105-aがSSバースト220を送信してもよく)、このとき、各SSB225がそれぞれのRF帯域で送信されるように、SSB225が周波数分割多重化されてもよい。すなわち、より広い帯域(たとえば、NR帯域など)では、複数のSSB225が異なる周波数で送信され得る。いくつかの場合、SSB225は、同期ラスタから離れていることがある(たとえば、サービングセル205-aと関連付けられる同期ラスタと揃っていないことがある)。そのような場合、SSB225はRMSIと関連付けられないことがある(たとえば、セルIDまたはCGIはSIB1から導出されないことがある)。たとえば、非スタンドアロンセル205は、RMSIなしでSSB225を送信してもよく、これはUE115-aによって(たとえば、同期ラスタから離れて)受信されてもよい。他の場合には、SSB225は同期ラスタの中にあってもよい。SSB225が同期ラスタの中で受信される場合、SSB225はRMSIと関連付けられることもまたは関連付けられないこともある。SSB225が同期ラスタの中にあるが、RMSIと関連付けられない場合、SSB225は、UE115-aが次の同期ラスタにおいてRMSIを伴う別のSSB225を見つけるための信号(たとえば指示)を含んでもよい。たとえば、SSバースト220-aのSSB225は、後続のSSバースト220-bのSSB225などの別のSSBを示してもよく、CGI報告のためのRMSIを含んでもよい。
【００９３】
マルチビーム動作(たとえば、mmW展開のもとでの)のために、セルは複数のビームを使用して導かれ得る(たとえば、PSS/SSSは、異なる品質でUE115-aによって受信され得る、異なる送信ビーム230を使用して基地局105-bによって送信されるSSB225に含まれ得る)。たとえば、ワイヤレス通信システム200は、複数のビームから(たとえば、異なる送信ビーム230を使用して基地局105-bによって送信されるSSB225から)単一のセル品質を導出してもよく、複数のビームは異なる品質を有し得る(たとえば、平均のビーム品質が決定され得る)。セルレベル報告に加えて、ワイヤレス通信システム200(たとえば、NRシステム)は、レイヤ3(L3)ビームレベル報告をサポートし得る(たとえば、3種類のビームレベルL3報告は、ビームレベル測定の報告なし、またはビームインデックス報告、またはビームインデックスおよびビームL3フィルタリングされたRSRP/RSRQ/SINR報告、またはこれらの何らかの組合せを含み得る)。2つのタイプの基準信号(たとえば、SSB225およびチャネル状態情報基準信号(CSI-RS))が、(たとえば、セル固有基準信号(CRS)の代わりに)無線リソース管理(RRM)を実行するために使用され得る。CSI-RSベースのRRMが、より高いビーム分解能をもたらすために導入され得る。いくつかの場合、CSI-RSの構成は、その関連するセルのPCIを使用し得る。
【００９４】
いくつかの場合、基地局105-aは、未知のPCIと関連付けられる周波数が同期ラスタから離れている場合、CGI報告(たとえば、reportCGI測定)を構成しなくてもよい。たとえば、基地局105-aは、(たとえば、UE115-aから、通信210において)未知のPCI(たとえば、セル205-bと関連付けられる)を含む測定報告を受信し得る。基地局105-aは、受信された測定報告に含まれる測定ID(たとえば、measID)を確認し、(たとえば、measIDから)関連する測定報告の周波数位置を導出し、そのようなSSB225(たとえば、セル205-bと関連付けられる)が同期ラスタの中に位置するか、またはそれから離れて位置するかを確認し得る。関連する周波数(たとえば、セル205-bのSSB225と関連付けられる周波数)が同期ラスタ(たとえば、サービングセル205-aと関連付けられる)の中にある場合、基地局105-aは、CGI報告を実行するようにUE115-aに命令し得る。そうではなく、関連する周波数が同期ラスタから離れている場合、基地局105-aはCGI報告手順を開始しなくてもよい(たとえば、基地局105-aは同期ラスタセルを近隣リストに追加するだけであってもよい)。
【００９５】
他の例では、基地局105-aは、基地局105-bと関連付けられる別のセルにおいてグローバルセルID(たとえば、CGI)を導出するようにUE115-aを構成し得る。たとえば、UE115-aは、セル205-bと関連付けられるPCIを報告してもよく、PCIが近隣リストのエントリと関連付けられないと決定すると、基地局105-aは、基地局105-bのセル205-cにおいてCGIを導出するようにUE115-aに命令し得る。たとえば、基地局105-bが非スタンドアロンモードで動作する場合、UE115-aはセル205-b(たとえば、NRセル)と関連付けられるPCIを報告することがあり、基地局105-aは、PCIと関連付けられるNRセル205-bを近隣リストに追加することを望むことがあり、セル205-c(たとえば、マスターLTEセルまたはeNB)におけるCGIを導出するようにUE115-aに命令することがある。ワイヤレス通信システム200は、マスターLTE基地局105-b(たとえば、LTEセルまたはセル205-c)のシステム情報(たとえば、SIB1)を見つけるように指示するために(たとえば、見つけるようにUE115-aに基地局105-aが命令するために)、同期ラスタから離れたSSBにおけるシグナリングを利用し得る。たとえば、セル205-b(たとえば、NRセル)と関連付けられるSSB225がRMSIと関連付けられない場合、基地局105-aは、UE115-aがそのマスターLTE eNBのSIB1を見つけよ(たとえば、セル205-cと関連付けられるSIB1を見つけよ)というUE115-aに対する指示を送信し得る。そのような場合、セル205-c(たとえば、LTEセルまたはマスターLTE eNB)は、セル205-cのSIB1においてセル205-cのNRセル205-bのCGIを搬送し得る。そのようなシナリオでは、未知のPCI(たとえば、近隣リストに載っていないPCI)を含む測定報告を受信すると、基地局105-aは、(たとえば、SSBが同期ラスタの中にあっても、またはそれから離れていても)CGI測定を実行して報告するようにUE115-aに命令し得る。SSB225が同期ラスタの中にある場合、UE115-aは、関連するSIB(たとえば、セル205-bと関連付けられるSIB)を直接見つけてもよく、また
は、第1のSSB225によって示される何らかの後続のSSBにおいてSIB1を見つけてもよい。そうではなく、SSB225がラスタから離れている場合、UE115-aは、NRセルID(たとえば、セル205-bのID)を導出するために、示されるマスターLTE eNB(たとえば、セル205-c)のSIB1に切り替える(たとえば、ジャンプする、または周波数を切り替える)ことができる。UE115-aは次いで、NRセル(たとえば、セル205-c)のグローバルIDを基地局105-aに報告し得る。たとえば、いくつかの場合、基地局105-aは、基地局105-aのマスターLTE基地局105-b(たとえば、LTEセルまたはセル205-c)のシステム情報(たとえば、SIB1)を見つけるようにUE115-aに明示的にシグナリングしてもよく、他の場合には、UE115-aは、LTEセルまたはセル205-cのシステム情報(たとえば、SIB1)を見つけるようにあらかじめ構成されてもよい(たとえば、CGIを測定して報告するようにとの基地局105-aからの指示が、SSBが同期ラスタから離れているとUE115-aが決定したとき、UE115-aにセル205-aからシステム情報(たとえば、SIB1)を発見させ得る)。マスターLTE基地局またはマスターセル205-cのSIB1は、近隣セル205-bと関連付けられるCGIを含み得る。
【００９６】
図3は、本開示の態様による、グローバルセル識別子報告のための測定構成をサポートするプロセスフロー300の例を示す。いくつかの例では、プロセスフロー300は、ワイヤレス通信システム100およびワイヤレス通信システム200の態様を実施し得る。プロセスフロー300は、第1のワイヤレスノード、第2のワイヤレスノード、および第3のワイヤレスノードを含み得る。いくつかの例では、第1のワイヤレスノードは基地局105-cであってもよく、第2のワイヤレスノードは基地局105-dであってもよく、第3のワイヤレスノードはUE115-bであってもよく、これらは図1を参照して説明されたような対応するデバイスの例であってもよい。
【００９７】
325において、基地局105-cは任意選択で、CGI構成をUE115-bに送信し得る。いくつかの場合、CGI構成は、近隣セルと関連付けられるSSBが同期ラスタの中にあるという決定(たとえば、320における決定)に基づいて、UE115-bに送信され得る。いくつかの場合、CGI構成は、何らかのより前の時間にUE115-bに搬送されてもよく、またはネットワークによってあらかじめ構成されてもよい。CGI報告は、RRMシグナリングを介して構成され得る。いくつかの場合、CGI構成(たとえば、CGI報告構成)は、セル固有の、およびビーム固有の、測定および報告構成を含み得る。たとえば、セルレベルの測定および報告は、SSBに基づくように、RSRPもしくはRSRQもしくはSINRに基づくように、またはこれらの任意の組合せなどに基づくように構成され得る。さらに、ビームレベルの測定および報告はSSBに基づき得る。加えて、構成され得る報告タイプは、ビームレベル測定の報告なし、またはビームインデックスの報告、またはビームインデックスおよびビームレイヤ3(L3)フィルタリングされたRSRP/RSRQ/SINRの報告、またはこれらの何らかの組合せを含む。
【００９８】
305において、UE115-bは、基地局105-dの近隣セル(たとえば、近隣基地局)の無線周波数帯域においてSSBを受信し得る。いくつかの場合、SSBは、基地局105-dによって送信されるSSバースト(たとえば、ビーム掃引方式で送信される一連のSSB)のうちのあるSSBであり得る。
【００９９】
310において、UE115-bは、近隣セルのPCIを基地局105-c(たとえば、サービング基地局)に報告し得る。報告される近隣セルPCIは、305において受信されるSSBに基づいて決定され得る(たとえば、近隣セルPCIは、受信されたSSBのPSS/SSSを復号することによって決定され得る)。
【０１００】
315において、基地局105-cは、310において受信されるPCIが未知であると決定し得る(たとえば、基地局105-cは、310においてUE115-bによって送信される測定報告において受信されるPCIが基地局105-cによって維持される近隣リストのエントリと関連付けられないと決定し得る)。
【０１０１】
320において、基地局105-cは、測定報告(たとえば、UE115-bによって305において受信されるSSB)と関連付けられる周波数位置が同期ラスタの中にあると決定し得る(たとえば、測定報告と関連付けられる周波数位置は、UE115-bの同期ラスタ内にある)。たとえば、基地局105-cは、310において受信される測定報告に含まれるmeasID情報要素を特定し得る。measIDは周波数位置を示すことができ、周波数位置は、SSBが同期ラスタの中に位置するかもしくはそれから離れているかを、基地局105-cに知らせることができ、または、そのことを基地局105-cが決定することを可能にできる。この例では、基地局105-cは、SSBが同期ラスタの中にあると決定し得る。
【０１０２】
330において、基地局105-cは、基地局105-dのCGIを報告するようにUE115-bに命令し得る(たとえば、330において、基地局105-cは、近隣セルと関連付けられるCGIを報告するようにUE115-bに命令することを決定し得る)。いくつかの場合、近隣セルと関連付けられるCGIを報告するようにUE115-bに命令するという決定は、近隣セルと関連付けられるSSBが同期ラスタの中にあるという決定(たとえば、320における決定)に基づき得る。
【０１０３】
335において、UE115-bは、基地局105-dからシステム情報(たとえば、第1のSSBと関連付けられるSIBなどのシステム情報)を受信し得る。UE115-bは、受信されたシステム情報に基づいてCGIを特定し得る。SSBが同期ラスタの中にある場合、CGIを特定するために受信され使用されるシステム情報は、いくつかの場合、SSBと関連付けられるSIB(たとえば、SIB1)を含み得る(たとえば、330においてCGI報告命令を受信すると、UE115-bはSSBと関連付けられるSIB1を直接発見し得る)。他の場合には、UE115-bは、305において受信されたSSBによって示される別のSSBの中のSIB1を発見することがある(たとえば、SSBは時々SIB1を含むことがあり、またはそれとともにブロードキャストされることがあり、305において受信されるSSBがSIB1を含まない場合、305において受信されるSSBは、SIB1を含むSSBを示してもよい)。
【０１０４】
たとえば、UE115-bは、システム情報が第1のSSB(たとえば、305において受信されるSSB)と関連付けられないと決定することがあり、第2のSSBを受信することがあり、ここで、第2のSSB(たとえば、第2のSSBと関連付けられるタイミング情報)が第1のSSBによって少なくとも一部示される。そのような場合、335は、基地局105-dから、第2のSSBと関連付けられるシステム情報を受信することを含み得る(たとえば、ここで、第2のSSBは第1のSSBに少なくとも一部基づいて受信される)。UE115-bは、第2のSSBにおいて特定されるシステム情報に基づいてCGIを特定し得る。
【０１０５】
340において、UE115-bは、CGIを基地局105-c(たとえば、サービング基地局)に送信し得る。いくつかの場合、CGIは、CGI報告または測定報告において送信され得る(たとえば、CGI構成が325において受信される場合、受信されたCGI構成によって構成されるような情報を含み得る)。
図4は、本開示の態様による、グローバルセル識別子報告のための測定構成をサポートするプロセスフロー400の例を示す。いくつかの例では、プロセスフロー400は、ワイヤレス通信システム100およびワイヤレス通信システム200の態様を実施し得る。プロセスフロー400は、第1のワイヤレスノード、第2のワイヤレスノード、および第3のワイヤレスノードを含み得る。いくつかの例では、第1のワイヤレスノードは基地局105-eであってもよく、第2のワイヤレスノードは基地局105-fであってもよく、第3のワイヤレスノードはUE115-cであってもよく、これらは図1を参照して説明されたような対応するデバイスの例であってもよい。
【０１０６】
425において、基地局105-eは、マスターセルCGI報告構成をUE115-cに送信し得る(たとえば、425において、UE115-cは、基地局105-fの第2のセル、セルB、またはマスターLTEセルと関連付けられるシステム情報を決定するようにとの指示を受信し得る)。いくつかの場合、マスターセルCGI報告構成は、近隣セルと関連付けられるSSBが同期ラスタから離れているという決定(たとえば、420における決定)に基づいてUE115-cに送信され得る。いくつかの場合、マスターセルCGI報告構成は、何らかのより前の時間にUE115-cに搬送されてもよく、またはネットワークによってあらかじめ構成されてもよい。マスターセルに基づくCGI報告は、RRMシグナリングを介して構成され得る。いくつかの場合、マスターセルCGI報告構成(たとえば、CGI報告構成)は、セル固有の、およびビーム固有の、測定および報告構成を含み得る。たとえば、セルレベルの測定および報告は、SSBに基づくように、RSRP/RSRQ/SINRなどに基づくように構成され得る。さらに、ビームレベルの測定および報告はSSBに基づき得る。加えて、構成され得る報告タイプは、ビームレベル測定の報告なし、またはビームインデックスの報告、またはビームインデックスおよびビームL3フィルタリングされたRSRP/RSRQ/SINRの報告などを含む。
【０１０７】
405において、UE115-cは、基地局105-f(たとえば、近隣基地局)の近隣セル(たとえば、セルA、またはNRセル)の無線周波数帯域においてSSBを受信し得る。いくつかの場合、SSBは、基地局105-fによって送信されるSSバースト(たとえば、ビーム掃引方式で送信される一連のSSB)のうちのあるSSBであり得る。いくつかの場合、UE115-cは、複数のSSB、たとえばSSバーストのSSBのうちの2つ以上を受信し、それらのSSBのうちの1つまたは複数から(たとえば、選択的に)情報を報告し得る。
【０１０８】
410において、UE115-cは、近隣セルA(たとえば、NRセル)のPCIを基地局105-e(たとえば、サービング基地局)に報告し得る。報告される近隣セルAのPCIは、405において受信されたSSBに基づいて決定され得る(たとえば、近隣セルAのPCIは、受信されたSSBのPSSおよびSSSを復号することによって決定され得る)。
【０１０９】
415において、基地局105-eは、410において受信されるPCIが未知であると決定し得る(たとえば、基地局105-eは、410においてUE115-cによって送信される測定報告において受信されるPCIが基地局105-eによって維持される近隣リストのエントリと関連付けられないと決定し得る)。
【０１１０】
420において、基地局105-eは、測定報告(たとえば、UE115-cによって405において受信されるSSB)と関連付けられる周波数位置が同期ラスタから離れていると決定し得る(たとえば、測定報告と関連付けられる周波数位置は、UE115-cの同期ラスタから離れており、またはそれに含まれない)。たとえば、基地局105-eは、410において受信される測定報告に含まれるmeasIDを特定し得る。measIDは周波数位置を示すことができ、周波数位置は、SSBが同期ラスタの中に位置するかまたはそれから離れているかについて、基地局105-eに知らせることができる。この例では、基地局105-eは、SSBが同期ラスタから離れていると決定し得る。
【０１１１】
430において、基地局105-eは、基地局105-fのCGIを報告するようにUE115-cに命令し得る(たとえば、430において、基地局105-eは、近隣セルと関連付けられるCGIを報告するようにUE115-cに命令することを決定し得る)。いくつかの場合、近隣セルと関連付けられるCGIを報告するようにUE115-cに命令するという決定は、近隣セルと関連付けられるSSBが同期ラスタから離れているという決定(たとえば、420における決定)に基づき得る。いくつかの場合、マスターセルCGI報告構成は、基地局105-fのセルBのCGIを報告するようにとのUE115-cに対する命令であってもよい(たとえば、425および430は2つの別々の送信またはメッセージではなくてもよく、単一の送信またはメッセージであってもよく、たとえばマスターセルCGI報告構成が、セルBのCGIを測定して報告するようにUE115-cに命令してもよい)。
【０１１２】
435において、UE115-cは、基地局105-fから(たとえば、425において受信されたマスターセルCGI報告構成に基づいて)システム情報(たとえば、セルBと関連付けられるシステム情報)を受信し得る。UE115-cは、受信されたシステム情報に基づいてCGIを特定し得る。たとえば、セルBと関連付けられるシステム情報は、いくつかの場合、セルAのCGIを含み得る。いくつかの場合、セルBと関連付けられるSIB1が、セルAと関連付けられるCGIの決定のために使用され得る(たとえば、430においてCGI報告命令を受信すると、UE115-cはセルBと関連付けられるSIB1を直接発見し得る)。UE115-cは、セルBと関連付けられるシステム情報(たとえば、SIB1)において特定されるシステム情報に基づいて、セルAと関連付けられるCGIを特定し得る。
【０１１３】
440において、UE115-cは、CGI(たとえば、セルAと関連付けられる)を基地局105-e(たとえば、サービング基地局)に送信し得る。いくつかの場合、CGIは、CGI報告または測定報告において送信(たとえば、報告)され得る(たとえば、CGI構成が425において受信される場合、受信されたCGI構成によって構成されるような情報を含み得る)。
【０１１４】
図5は、本開示の態様による、グローバルセル識別子報告のための測定構成をサポートするプロセスフロー500の例を示す。いくつかの例では、プロセスフロー500は、ワイヤレス通信システム100およびワイヤレス通信システム200の態様を実施し得る。プロセスフロー500は、第1のワイヤレスノード、第2のワイヤレスノード、および第3のワイヤレスノードを含み得る。いくつかの例では、第1のワイヤレスノードは基地局105-gであってもよく、第2のワイヤレスノードは基地局105-hであってもよく、第3のワイヤレスノードはUE115-dであってもよく、これらは図1を参照して説明されたような対応するデバイスの例であってもよい。
【０１１５】
525において、基地局105-gは任意選択で、CGI構成をUE115-dに送信し得る。いくつかの場合、CGI構成は、近隣セルと関連付けられるSSBが同期ラスタから離れているという決定(たとえば、520における決定)に基づいて、UE115-dに送信され得る。いくつかの場合、CGI構成は、何らかのより前の時間にUE115-dに搬送されてもよく、またはネットワークによってあらかじめ構成されてもよい。CGI報告は、RRMシグナリングを介して構成され得る。いくつかの場合、CGI構成(たとえば、CGI報告構成)は、セル固有の、およびビーム固有の、測定および報告構成を含み得る。たとえば、セルレベルの測定および報告は、SSBに基づくように、RSRP/RSRQ/SINRなどに基づくように構成され得る。さらに、ビームレベルの測定および報告はSSBに基づき得る。加えて、構成され得る報告タイプは、ビームレベル測定の報告なし、ビームインデックスの報告、ビームインデックスおよびビームL3フィルタリングされたRSRP/RSRQ/SINRの報告などを含む。
【０１１６】
505において、UE115-dは、基地局105-hの近隣セル(たとえば、近隣基地局)の無線周波数帯域においてSSBを受信し得る。いくつかの場合、SSBは、基地局105-hによって送信されるSSバースト(たとえば、ビーム掃引方式で送信される一連のSSB)のうちのあるSSBであり得る。
【０１１７】
510において、UE115-dは、近隣セルのPCIを基地局105-g(たとえば、サービング基地局)に報告し得る。報告される近隣セルPCIは、505において受信されるSSBに基づいて決定され得る(たとえば、近隣セルのPCIは、受信されたSSBのPSSおよびSSSを復号することによって決定され得る)。
【０１１８】
515において、基地局105-gは、510において受信されるPCIが未知であると決定し得る(たとえば、基地局105-gは、510においてUE115-dによって送信される測定報告において受信されるPCIが基地局105-gによって維持される近隣リストのエントリと関連付けられないと決定し得る)。
【０１１９】
520において、基地局105-gは、測定報告(たとえば、UE115-dによって505において受信されるSSB)と関連付けられる周波数位置が同期ラスタから離れていると決定し得る(たとえば、測定報告と関連付けられる周波数位置は、UE115-dの同期ラスタから離れており、またはそれに含まれない)。たとえば、基地局105-gは、510において受信される測定報告に含まれるmeasIDを特定し得る。measIDは周波数位置を示すことができ、周波数位置は、SSBが同期ラスタの中に位置するかまたはそれから離れているかについて、基地局105-gに知らせることができる。この例では、基地局105-gは、SSBが同期ラスタから離れていると決定し得る。
【０１２０】
530において、基地局105-gは、基地局105-hのCGIを報告するようにUE115-dに命令し得る(たとえば、530において、基地局105-gは、近隣セルと関連付けられるCGIを報告するようにUE115-dに命令することを決定し得る)。いくつかの場合、近隣セルと関連付けられるCGIを報告するようにUE115-dに命令するという決定は、近隣セルと関連付けられるSSBが同期ラスタから離れているという決定(たとえば、520における決定)に基づき得る。
【０１２１】
535において、UE115-dは、CGIブロードキャスト送信において基地局105-hからシステム情報(たとえば、第1のSSBと関連付けられるシステム情報)を受信し得る。すなわち、セル(たとえば、基地局105-hと関連付けられる近隣セル)は、疎な送信パターンにおいてグローバルセルID(たとえば、CGI)をブロードキャストし得る。いくつかの場合、グローバルセルIDは、検出のロバスト性を高めるためにセグメントへと分離され得る(たとえば、いくつかの場合、CGIはセグメントへと分離され、いくつかのCGIブロードキャスト送信にわたってブロードキャストされ得る)。CGIブロードキャスト送信の送信パターンは、505において受信されたSSBから(たとえば、UE115-dによって)導出され得る。たとえば、505においてUE115-dによって受信されるSSBは、タイミング基準を含んでもよく、または、グローバルセルIDの常時オン送信パターンのタイミング基準として機能してもよい。すなわち、505においてSSBが同期ラスタから離れていると決定されるとき、UE115-dは、505において受信されるSIBを通じてタイミング基準を決定してもよく、ブロードキャストグローバルセルIDを待機してもよい(たとえば、かつブロードキャストCGIを受信するのを535まで待機してもよい)。UE115-dは、受信されたシステム情報(たとえば、ブロードキャストにおいて受信されたシステム情報またはCGI)に基づいてCGIを特定し得る。
【０１２２】
540において、UE115-dは、CGIを基地局105-g(たとえば、サービング基地局)に送信し得る。いくつかの場合、CGIは、CGI報告または測定報告において送信され得る(たとえば、CGI構成が525において受信される場合、受信されたCGI構成によって構成されるような情報を含み得る)。
【０１２３】
図6は、本開示の態様による、グローバルセル識別子報告のための測定構成をサポートするプロセスフロー600の例を示す。いくつかの例では、プロセスフロー600は、ワイヤレス通信システム100の態様を実装し得る。プロセスフロー600は、第1のワイヤレスノード、第2のワイヤレスノード、および第3のワイヤレスノードを含み得る。いくつかの例では、第1のワイヤレスノードは基地局105-iであってもよく、第2のワイヤレスノードは基地局105-jであってもよく、第3のワイヤレスノードはUE115-eであってもよく、これらは図1を参照して説明されたような対応するデバイスの例であってもよい。
【０１２４】
605において、UE115-eは、基地局105-j(たとえば、近隣基地局)の近隣セルの無線周波数帯域においてSSBを受信し得る。いくつかの場合、SSBは、基地局105-jによって送信されるSSバースト(たとえば、ビーム掃引方式で送信される一連のSSB)のうちのあるSSBであり得る。
【０１２５】
610において、UE115-eは、近隣セルのPCIを基地局105-i(たとえば、サービング基地局)に報告し得る。報告される近隣セルのPCIは、605において受信されるSSBに基づいて決定され得る(たとえば、近隣セルのPCIは、受信されたSSBのPSSおよびSSSを復号することによって決定され得る)。
【０１２６】
615において、基地局105-iは、610において受信されるPCIが未知であると決定し得る(たとえば、基地局105-iは、610においてUE115-eによって送信される測定報告において受信されるPCIが基地局105-iによって維持される近隣リストのエントリと関連付けられないと決定し得る)。
【０１２７】
620において、基地局105-iは、測定報告(たとえば、UE115-eによって605において受信されるSSB)と関連付けられる周波数位置が同期ラスタから離れていると決定し得る(たとえば、測定報告と関連付けられる周波数位置は、UE115-eの同期ラスタから離れており、またはそれに含まれない)。たとえば、基地局105-iは、610において受信される測定報告に含まれるmeasIDを特定し得る。measIDは周波数位置を示すことができ、周波数位置は、SSBが同期ラスタの中に位置するかまたはそれから離れているかについて、基地局105-iに知らせることができる。この例では、基地局105-iは、SSBが同期ラスタから離れていると決定し得る。
【０１２８】
625において、基地局105-iは、基地局105-jのCGIを報告するようにUE115-eに命令し得る(たとえば、625において、基地局105-iは、近隣セルと関連付けられるCGIを報告するようにUE115-eに要求し得る)。いくつかの場合、近隣セルと関連付けられるCGIを報告するようにUE115-eに命令するという決定は、近隣セルと関連付けられるSSBが同期ラスタから離れているという決定(たとえば、620における決定)に基づき得る。
【０１２９】
いくつかの例では、ワイヤレス通信システムは、オンデマンドのグローバルセルID取得を可能にし得る。グローバルセルID取得に対する要求を送信するために、専用のアップリンクリソースがUE(たとえば、UE115-e)のために確保され得る(たとえば、専用のアップリンクリソースは周期的であり疎であり得る)。専用のアップリンクリソースは、SSBリソースから特定されてもよい(たとえば、SSBは、タイミング基準であってもよく、またはCGI取得に専用のアップリンクリソースと関連付けられるタイミング情報を含んでもよい)。
【０１３０】
さらに、2ステップのRACH手順が使用され得る。たとえば、630において、UE115-eは、625において受信された命令に基づいて、CGIに対する要求を送信し得る。いくつかの場合、630は、専用のアップリンクリソースにおけるMsg1(たとえば、要求)において、UE115-eがRACHプリアンブルを送信することを指し得る。635において、基地局105-jは、ランダムアクセス応答において、またはMsg2(たとえば、応答)において、グローバルセルIDをUE115-eに送信することによって応答し得る。
【０１３１】
すなわち、605において受信されるSSBが同期ラスタから離れている場合、UE115-eは、(たとえば、SSBから)タイミング基準を決定し、それに従ってグローバルセルIDのための専用のアップリンクリソースを待機し得る(たとえば、UE115-eは、CGI要求を送信するために使用すべき、SSBにより示されるような専用のアップリンクリソースを待機し得る)。最新の専用のアップリンクリソースが届くとき(たとえば、専用のアップリンクリソースと関連付けられるタイミングリソースにおいて)、UE115-eは、専用のアップリンクリソースにおいて(たとえば、630において)Msg1(たとえば、要求)を送信してもよく、基地局105-jは、Msg2(たとえば、635における応答)においてCGIをUE115-eに送信してもよい。
【０１３２】
640において、UE115-eは、CGIを基地局105-i(たとえば、サービング基地局)に送信(たとえば、報告)し得る。いくつかの場合、CGIは、CGI報告または測定報告において送信され得る。
【０１３３】
図7は、本開示の態様による、グローバルセル識別子報告のための測定構成をサポートするデバイス705のブロック図700を示す。デバイス705は、本明細書で説明されるようなUE115の態様の例であり得る。デバイス705は、受信機710と、通信マネージャ715と、送信機720とを含み得る。デバイス705は、プロセッサも含み得る。これらの構成要素の各々は、(たとえば、1つまたは複数のバスを介して)互いに通信していてもよい。
【０１３４】
受信機710は、パケット、ユーザデータ、または様々な情報チャネルと関連付けられる制御情報(たとえば、制御チャネル、データチャネル、およびグローバルセル識別子報告のための測定構成に関する情報など)などの情報を受信し得る。情報は、デバイス705の他の構成要素に受け渡され得る。受信機710は、図10を参照して説明されるように、トランシーバ1020の態様の例であり得る。受信機710は、単一のアンテナまたはアンテナのセットを利用し得る。
【０１３５】
通信マネージャ715は、第2の基地局105の第1のセルの無線周波数帯域において第1のSSBを受信し、受信された第1のSSBに基づいて第1のセルのPCIを第1の基地局105に報告し、報告されたPCIに応答して第1の基地局105から、第2の基地局105のCGIを報告するようにとの命令を受信し、受信された命令と、第1のSSBの無線周波数帯域が同期ラスタにおいて受信されたかどうかとに基づいて、CGIを第1の基地局105に送信し得る。通信マネージャ715は、本明細書で説明される通信マネージャ1010の態様の例であり得る。
【０１３６】
通信マネージャ715またはその下位構成要素は、ハードウェアで実装されてもよく、プロセッサによって実行されるコード(たとえば、ソフトウェアまたはファームウェア)であってもよく、またはこれらの任意の組合せで実装されてもよい。プロセッサによって実行されるコードで実装される場合、通信マネージャ715またはその様々な下位構成要素の機能は、汎用プロセッサ、DSP、特定用途向け集積回路(ASIC)、FPGAもしくは他のプログラマブル論理デバイス、個別ゲートもしくはトランジスタ論理、個別ハードウェア構成要素、または本開示で説明される機能を実行するように設計されたそれらの任意の組合せによって実行されてもよい。
【０１３７】
通信マネージャ715またはその下位構成要素は、機能の部分が1つまたは複数の物理構成要素によって異なる物理的位置において実装されるように分散されることを含めて、様々な場所において物理的に位置し得る。いくつかの例では、通信マネージャ715またはその下位構成要素は、本開示の様々な態様による別個のおよび異なる構成要素であり得る。いくつかの例では、通信マネージャ715またはその下位構成要素は、限定はされないが、入出力(I/O)構成要素、トランシーバ、ネットワークサーバ、別のコンピューティングデバイス、本開示で説明される1つもしくは複数の他の構成要素、または本開示の様々な態様によるそれらの組合せを含む、1つまたは複数の他のハードウェア構成要素と組み合わせられ得る。
【０１３８】
送信機720は、デバイス705の他の構成要素によって生成された信号を送信し得る。いくつかの例では、送信機720は、トランシーバモジュールにおいて受信機710と併置され得る。たとえば、送信機720は、図10を参照して説明されるトランシーバ1020の態様の例であり得る。送信機720は、単一のアンテナまたはアンテナのセットを利用し得る。
【０１３９】
図8は、本開示の態様による、グローバルセル識別子報告のための測定構成をサポートするデバイス805のブロック図800を示す。デバイス805は、本明細書で説明されるようなデバイス705またはUE115の態様の例であり得る。デバイス805は、受信機810と、通信マネージャ815と、送信機835とを含み得る。デバイス805は、プロセッサも含み得る。これらの構成要素の各々は、(たとえば、1つまたは複数のバスを介して)互いに通信していてもよい。
【０１４０】
受信機810は、パケット、ユーザデータ、または様々な情報チャネルと関連付けられる制御情報(たとえば、制御チャネル、データチャネル、およびグローバルセル識別子報告のための測定構成に関する情報など)などの情報を受信し得る。情報は、デバイス805の他の構成要素に受け渡され得る。受信機810は、図10を参照して説明されるように、トランシーバ1020の態様の例であり得る。受信機810は、単一のアンテナまたはアンテナのセットを利用し得る。
【０１４１】
通信マネージャ815は、本明細書で説明されるような通信マネージャ715の態様の例であり得る。通信マネージャ815は、SSBマネージャ820、PCI報告マネージャ825、およびCGI報告マネージャ830を含み得る。通信マネージャ815は、本明細書で説明される通信マネージャ1010の態様の例であり得る。SSBマネージャ820は、第2の基地局105の第1のセルの無線周波数帯域において第1のSSBを受信し得る。PCI報告マネージャ825は、受信された第1のSSBに基づいて、第1のセルのPCIを第1の基地局105に報告し得る。
【０１４２】
CGI報告マネージャ830は、報告されたPCIに応答して第1の基地局105から、第2の基地局105のCGIを報告するようにとの命令を受信し、受信された命令と、第1のSSBの無線周波数帯域が同期ラスタにおいて受信されたかどうかとに基づいて、CGIを第1の基地局105に送信し得る。
【０１４３】
送信機835は、デバイス805の他の構成要素によって生成された信号を送信し得る。いくつかの例では、送信機835は、トランシーバモジュールにおいて受信機810と併置され得る。たとえば、送信機835は、図10を参照して説明されるトランシーバ1020の態様の例であり得る。送信機835は、単一のアンテナまたはアンテナのセットを利用し得る。
【０１４４】
図9は、本開示の態様による、グローバルセル識別子報告のための測定構成をサポートする通信マネージャ905のブロック図900を示す。通信マネージャ905は、本明細書で説明される通信マネージャ715、通信マネージャ815、または通信マネージャ1010の態様の例であり得る。通信マネージャ905は、SSBマネージャ910、PCI報告マネージャ915、CGI報告マネージャ920、同期ラスタマネージャ925、CGIマネージャ930、および専用リソースマネージャ935を含み得る。これらのモジュールの各々は、(たとえば、1つまたは複数のバスを介して)互いと直接または間接的に通信していることがある。
【０１４５】
SSBマネージャ910は、第2の基地局105の第1のセルの無線周波数帯域において第1のSSBを受信し得る。いくつかの例では、SSBマネージャ910は、第2の基地局105から、第1のSSBと関連付けられるシステム情報を受信し得る。いくつかの例では、SSBマネージャ910は、第2の基地局105から第2のSSBを受信してもよく、ここで第2のSSBは第1のSSBによって少なくとも一部示される。いくつかの例では、SSBマネージャ910は、第2の基地局105から、第2のSSBと関連付けられるシステム情報を受信してもよく、ここで第2のSSBは受信された第1のSSBに基づいて受信される。いくつかの例では、SSBマネージャ910は、システム情報が第1のSSBと関連付けられないと決定し得る。いくつかの例では、SSBマネージャ910は、受信された第1のSSBに少なくとも一部基づいて、ブロードキャストCGIと関連付けられるタイミング基準を決定し得る。
【０１４６】
PCI報告マネージャ915は、受信された第1のSSBに基づいて、第1のセルのPCIを第1の基地局105に報告し得る。いくつかの例では、PCI報告マネージャ915は、第1のセルのPCIと、第1のSSBを受信することに関連付けられる測定識別子とを含む測定報告を送信してもよく、CGIを報告するようにとの命令は、PCIおよび測定識別子に基づく。いくつかの場合、第1の基地局105はサービング基地局105を含む。いくつかの場合、第2の基地局105は近隣の基地局105を含む。
【０１４７】
CGI報告マネージャ920は、第1の基地局105から、報告されたPCIに応答して、第2の基地局105のCGIを報告するようにとの命令を受信し得る。いくつかの例では、CGI報告マネージャ920は、受信された命令と、第1のSSBの無線周波数帯域が同期ラスタにおいて受信されたかどうかとに基づいて、CGIを第1の基地局105に送信し得る。いくつかの例では、CGI報告マネージャ920は、CGIを第1の基地局105に送信し得る。いくつかの場合、CGIを報告するようにとの命令は、第1のSSBが同期ラスタにおいて受信されたという第1の基地局105による決定に基づいて、第1の基地局105によって送信され得る。
【０１４８】
同期ラスタマネージャ925は、UE115によって、第1のSSBが同期ラスタにおいて受信されたことを決定し得る。いくつかの例では、同期ラスタマネージャ925は、システム情報が第1のSSBと関連付けられないと決定し得る。いくつかの例では、同期ラスタマネージャ925は、UE115によって、第1のSSBが同期ラスタから離れて受信されたと決定し得る。
【０１４９】
CGIマネージャ930は、システム情報に基づいてCGIを特定し得る。いくつかの例では、CGIマネージャ930は、第2の基地局105の第2のセルと関連付けられるシステム情報を決定するようにとの指示を受信し得る。いくつかの例では、CGIマネージャ930は、第2の基地局105から、タイミング基準と関連付けられる送信パターンに基づいてブロードキャストCGIを受信し得る。いくつかの例では、CGIマネージャ930は、ブロードキャストCGIに基づいてCGIを特定し得る。いくつかの例では、CGIマネージャ930は、送信周期およびオフセットを含む送信パターンのパラメータであり得る。いくつかの例では、CGIマネージャ930は、システム情報から取得される送信パターンのパラメータであり得る。いくつかの例では、CGIマネージャ930は、タイミング基準と関連付けられる送信パターンに基づいて、専用のリソースにおいてCGI要求を送信し得る。いくつかの例では、CGIマネージャ930は、第1のブロードキャストCGIメッセージにおいてCGIの第1の部分を受信し得る。いくつかの例では、CGIマネージャ930は、第2のブロードキャストCGIメッセージにおいてCGIの第2の部分を受信し得る。いくつかの例では、CGIマネージャ930は、第1の部分および第2の部分に基づいてCGIを特定し得る。いくつかの例では、CGIマネージャ930は、SSBのセットのうちの1つまたは複数のSSBに基づいてCGIブロードキャストパターンを特定し得る。いくつかの例では、CGIマネージャ930は、特定されたCGIブロードキャストパターンに基づいてCGIを受信し得る。いくつかの場合、第2のセルは、非スタンドアロンモードで動作する第2の基地局105のマスターLTE eNBを含む。いくつかの場合、CGI要求は、ランダムアクセス手順の要求において送信される。いくつかの場合、CGIは、ランダムアクセス手順の応答において受信される。
【０１５０】
専用リソースマネージャ935は、受信された第1のSSBに少なくとも一部基づいて、CGIのための専用のリソースと関連付けられるタイミング基準を決定し得る。いくつかの例では、専用リソースマネージャ935は、送信されたCGI要求に基づいてCGIを受信し得る。いくつかの例では、専用リソースマネージャ935は、送信周期およびオフセットを含む、CGIのための専用のリソースの送信パターンのパラメータであり得る。いくつかの例では、専用リソースマネージャ935は、システム情報から取得されるCGIのための専用のリソースの送信パターンのパラメータであり得る。
【０１５１】
図10は、本開示の態様による、グローバルセル識別子報告のための測定構成をサポートするデバイス1005を含むシステム1000の図を示す。デバイス1005は、本明細書で説明されるようなデバイス705、デバイス805、もしくはUE115の構成要素の例であり、またはそれらを含み得る。デバイス1005は、通信マネージャ1010と、I/Oコントローラ1015と、トランシーバ1020と、アンテナ1025と、メモリ1030と、プロセッサ1040とを含む、通信を送信および受信するための構成要素を含む、双方向の音声およびデータ通信のための構成要素を含み得る。これらの構成要素は、1つまたは複数のバス(たとえば、バス1045)を介して電子的に通信していることがある。
【０１５２】
通信マネージャ1010は、第2の基地局105の第1のセルの無線周波数帯域において第1のSSBを受信し、受信された第1のSSBに基づいて第1のセルのPCIを第1の基地局105に報告し、報告されたPCIに応答して第1の基地局105から、第2の基地局105のCGIを報告するようにとの命令を受信し、受信された命令と、第1のSSBの無線周波数帯域が同期ラスタにおいて受信されたかどうかとに基づいて、CGIを第1の基地局105に送信し得る。
【０１５３】
I/Oコントローラ1015は、デバイス1005のための入力信号および出力信号を管理し得る。I/Oコントローラ1015はまた、デバイス1005に統合されていない周辺装置を管理し得る。いくつかの場合、I/Oコントローラ1015は、外部周辺機器への物理接続またはポートを表し得る。いくつかの場合、I/Oコントローラ1015は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。他の場合には、I/Oコントローラ1015は、モデム、キーボード、マウス、タッチスクリーン、もしくは同様のデバイスを表し、またはそれと対話し得る。いくつかの場合、I/Oコントローラ1015は、プロセッサの一部として実装され得る。いくつかの場合、ユーザは、I/Oコントローラ1015を介して、またはI/Oコントローラ1015によって制御されるハードウェア構成要素を介して、デバイス1005と対話し得る。
【０１５４】
トランシーバ1020は、上で説明されたように、1つまたは複数のアンテナ、有線リンク、またはワイヤレスリンクを介して、双方向に通信し得る。たとえば、トランシーバ1020は、ワイヤレストランシーバを表すことがあり、別のワイヤレストランシーバと双方向に通信し得る。トランシーバ1020はまた、パケットを変調し、変調されたパケットを送信のためにアンテナに与えるための、およびアンテナから受信されたパケットを復調するためのモデムを含み得る。
【０１５５】
いくつかの場合、ワイヤレスデバイス1005は単一のアンテナ1025を含み得る。しかしながら、いくつかの場合、デバイス1005は2つ以上のアンテナ1025を有することがあり、これらのアンテナ1025は、複数のワイヤレス送信を同時に送信または受信することが可能であり得る。
【０１５６】
メモリ1030は、RAMとROMとを含み得る。メモリ1030は、実行されると、プロセッサに本明細書で説明される様々な機能を実行させる命令を含む、コンピュータ可読のコンピュータ実行可能コード1035を記憶し得る。いくつかの場合、メモリ1030は、特に、周辺構成要素またはデバイスとの相互作用などの、基本ハードウェアまたはソフトウェア動作を制御し得るBIOSを含み得る。
【０１５７】
プロセッサ1040は、インテリジェントハードウェアデバイス(たとえば、汎用プロセッサ、DSP、CPU、マイクロコントローラ、ASIC、FPGA、プログラム可能論理デバイス、個別ゲートもしくはトランジスタ論理構成要素、個別ハードウェア構成要素、またはそれらの任意の組合せ)を含み得る。いくつかの場合、プロセッサ1040は、メモリコントローラを使用してメモリアレイを動作させるように構成され得る。他の場合には、メモリコントローラは、プロセッサ1040の中に統合され得る。プロセッサ1040は、デバイス1005に様々な機能(たとえば、グローバルセル識別子報告のための測定構成をサポートする機能またはタスク)を実行させるために、メモリ(たとえば、メモリ1030)に記憶されているコンピュータ可読命令を実行するように構成され得る。
【０１５８】
コード1035は、ワイヤレス通信をサポートするための命令を含む、本開示の態様を実施するための命令を含み得る。コード1035は、システムメモリまたは他のタイプのメモリなどの、非一時的コンピュータ可読媒体に記憶され得る。いくつかの場合、コード1035は、プロセッサ1040によって直接実行可能ではないことがあるが、(たとえば、コンパイルされ実行されると)本明細書で説明される機能をコンピュータに実行させることができる。
【０１５９】
図11は、本開示の態様による、グローバルセル識別子報告のための測定構成をサポートするデバイス1105のブロック図1100を示す。デバイス1105は、本明細書で説明されるような基地局105の態様の例であり得る。デバイス1105は、受信機1110と、通信マネージャ1115と、送信機1120とを含み得る。デバイス1105は、プロセッサも含み得る。これらの構成要素の各々は、(たとえば、1つまたは複数のバスを介して)互いに通信していてもよい。
【０１６０】
受信機1110は、パケット、ユーザデータ、または様々な情報チャネルと関連付けられる制御情報(たとえば、制御チャネル、データチャネル、およびグローバルセル識別子報告のための測定構成に関する情報など)などの情報を受信し得る。情報は、デバイス1105の他の構成要素に受け渡され得る。受信機1110は、図14を参照して説明されるように、トランシーバ1420の態様の例であり得る。受信機1110は、単一のアンテナまたはアンテナのセットを利用し得る。
【０１６１】
通信マネージャ1115は、UE115から、第2の基地局105の第1のセルのPCIを受信し、PCIを特定するために使用される第1のSSBの無線周波数帯域が同期ラスタにおいて受信されたかどうかを特定し、特定に基づいて、第2の基地局105のCGIを報告するようにUE115に命令するかどうかを決定し得る。通信マネージャ1115は、本明細書で説明される通信マネージャ1410の態様の例であり得る。
【０１６２】
通信マネージャ1115またはその下位構成要素は、ハードウェアで実装されてもよく、プロセッサによって実行されるコード(たとえば、ソフトウェアまたはファームウェア)であってもよく、またはこれらの任意の組合せで実装されてもよい。プロセッサによって実行されるコードで実装される場合、通信マネージャ1115またはその様々な下位構成要素の機能は、汎用プロセッサ、DSP、ASIC、FPGAもしくは他のプログラマブル論理デバイス、個別ゲートもしくはトランジスタ論理、個別ハードウェア構成要素、または本開示で説明される機能を実行するように設計されたそれらの任意の組合せによって実行されてもよい。
【０１６３】
通信マネージャ1115またはその下位構成要素は、機能の部分が1つまたは複数の物理構成要素によって異なる物理的位置において実装されるように分散されることを含めて、様々な場所において物理的に位置し得る。いくつかの例では、通信マネージャ1115またはその下位構成要素は、本開示の様々な態様による別個のおよび異なる構成要素であり得る。いくつかの例では、通信マネージャ1115またはその下位構成要素は、限定はされないが、入出力(I/O)構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わせられ得る。
【０１６４】
送信機1120は、デバイス1105の他の構成要素によって生成された信号を送信し得る。いくつかの例では、送信機1120は、トランシーバモジュールにおいて受信機1110と併置され得る。たとえば、送信機1120は、図14を参照して説明されるトランシーバ1420の態様の例であり得る。送信機1120は、単一のアンテナまたはアンテナのセットを利用し得る。
【０１６５】
図12は、本開示の態様による、グローバルセル識別子報告のための測定構成をサポートするデバイス1205のブロック図1200を示す。デバイス1205は、本明細書で説明されるようなデバイス1105または基地局105の態様の例であり得る。デバイス1205は、受信機1210と、通信マネージャ1215と、送信機1235とを含み得る。デバイス1205は、プロセッサも含み得る。これらの構成要素の各々は、(たとえば、1つまたは複数のバスを介して)互いに通信していてもよい。
【０１６６】
受信機1210は、パケット、ユーザデータ、または様々な情報チャネルと関連付けられる制御情報(たとえば、制御チャネル、データチャネル、およびグローバルセル識別子報告のための測定構成に関する情報など)などの情報を受信し得る。情報は、デバイス1205の他の構成要素に受け渡され得る。受信機1210は、図14を参照して説明されるように、トランシーバ1420の態様の例であり得る。受信機1210は、単一のアンテナまたはアンテナのセットを利用し得る。
【０１６７】
通信マネージャ1215は、本明細書で説明されるような通信マネージャ1115の態様の例であり得る。通信マネージャ1215は、PCIマネージャ1220、同期ラスタマネージャ1225、および近隣CGIマネージャ1230を含み得る。通信マネージャ1215は、本明細書で説明される通信マネージャ1410の態様の例であり得る。
【０１６８】
PCIマネージャ1220は、UE115から、第2の基地局105の第1のセルのPCIを受信し得る。同期ラスタマネージャ1225は、PCIを特定するために使用される第1のSSBの無線周波数帯域が同期ラスタにおいて受信されたかどうかを特定し得る。近隣CGIマネージャ1230は、この特定に基づいて、第2の基地局105のCGIを報告するようにUE115に命令するかどうかを決定し得る。
【０１６９】
送信機1235は、デバイス1205の他の構成要素によって生成された信号を送信し得る。いくつかの例では、送信機1235は、トランシーバモジュールにおいて受信機1210と併置され得る。たとえば、送信機1235は、図14を参照して説明されるトランシーバ1420の態様の例であり得る。送信機1235は、単一のアンテナまたはアンテナのセットを利用し得る。
【０１７０】
図13は、本開示の態様による、グローバルセル識別子報告のための測定構成をサポートする通信マネージャ1305のブロック図1300を示す。通信マネージャ1305は、本明細書で説明される通信マネージャ1115、通信マネージャ1215、または通信マネージャ1410の態様の例であり得る。通信マネージャ1305は、PCIマネージャ1310、同期ラスタマネージャ1315、近隣CGIマネージャ1320、およびCGI報告構成マネージャ1325を含み得る。これらのモジュールの各々は、(たとえば、1つまたは複数のバスを介して)互いと直接または間接的に通信していることがある。
【０１７１】
PCIマネージャ1310は、UE115から、第2の基地局105の第1のセルのPCIを受信し得る。いくつかの場合、第2のセルは、非スタンドアロンモードで動作する第1の基地局105のマスターLTE eNBを含む。同期ラスタマネージャ1315は、PCIを特定するために使用される第1のSSBの無線周波数帯域が同期ラスタにおいて受信されたかどうかを特定し得る。
【０１７２】
近隣CGIマネージャ1320は、この特定に基づいて、第2の基地局105のCGIを報告するようにUE115に命令するかどうかを決定し得る。いくつかの例では、近隣CGIマネージャ1320は、第1のSSBが同期ラスタにおいて受信されたという決定に基づいて、CGIを報告するようにとのUE115に対する命令を送信し得る。いくつかの例では、近隣CGIマネージャ1320は、その命令に基づいてUE115からCGIを受信し得る。いくつかの例では、近隣CGIマネージャ1320は、第1のSSBが同期ラスタから離れて受信されたという決定に基づいて、CGIを報告するようにUE115に命令するのを控え得る。いくつかの例では、近隣CGIマネージャ1320は、第1のSSBが同期ラスタから離れて受信されたという決定に基づいて、CGIを報告するようにとのUE115に対する命令を送信し得る。いくつかの例では、近隣CGIマネージャ1320は、送信された命令に基づいてUE115からCGIを受信し得る。いくつかの例では、近隣CGIマネージャ1320は、送信された命令に応答してUE115からCGIを受信し得る。いくつかの例では、近隣CGIマネージャ1320は、UE115から、送信されたCGI報告構成に基づいて構成されるCGI報告においてCGIを受信し得る。
【０１７３】
CGI報告構成マネージャ1325は、CGIを特定するために第2の基地局105の第2のセルからシステム情報を取得するようにとのUE115に対する命令を送信し得る。いくつかの例では、CGI報告構成マネージャ1325は、CGI報告構成をUE115に送信し得る。いくつかの例では、CGI報告構成マネージャ1325は、UE115がセルレベル測定を測定して報告すべきであることを示すCGI報告構成をUE115に送信し得る。いくつかの例では、CGI報告構成マネージャ1325は、UE115がビームレベル測定を測定して報告すべきであることを示すCGI報告構成をUE115に送信し得る。いくつかの場合、ビームレベル測定はビーム識別子を含む。いくつかの場合、ビームレベル測定はビーム品質を含む。いくつかの場合、ビームレベル測定はビーム識別子およびビーム品質を含む。
【０１７４】
図14は、本開示の態様による、グローバルセル識別子報告のための測定構成をサポートするデバイス1405を含むシステム1400の図を示す。デバイス1405は、本明細書で説明されるようなデバイス1105、デバイス1205、もしくは基地局105の構成要素の例であり、またはそれらを含み得る。デバイス1405は、通信マネージャ1410と、ネットワーク通信マネージャ1415と、トランシーバ1420と、アンテナ1425と、メモリ1430と、プロセッサ1440と、局間通信マネージャ1445とを含む、通信を送信および受信するための構成要素を含む、双方向の音声およびデータ通信のための構成要素を含み得る。これらの構成要素は、1つまたは複数のバス(たとえば、バス1450)を介して電子的に通信していることがある。
【０１７５】
通信マネージャ1410は、UE115から、第2の基地局105の第1のセルのPCIを受信し、PCIを特定するために使用される第1のSSBの無線周波数帯域が同期ラスタにおいて受信されたかどうかを特定し、特定に基づいて、第2の基地局105のCGIを報告するようにUEに命令するかどうかを決定し得る。
【０１７６】
ネットワーク通信マネージャ1415は、(たとえば、1つまたは複数の有線バックホールリンクを介して)コアネットワークとの通信を管理し得る。たとえば、ネットワーク通信マネージャ1415は、1つまたは複数のUE115などの、クライアントデバイスのためのデータ通信の転送を管理し得る。
【０１７７】
トランシーバ1420は、上で説明されたように、1つまたは複数のアンテナ、有線リンク、またはワイヤレスリンクを介して、双方向に通信し得る。たとえば、トランシーバ1420は、ワイヤレストランシーバを表すことがあり、別のワイヤレストランシーバと双方向に通信し得る。トランシーバ1420はまた、パケットを変調し、変調されたパケットを送信のためにアンテナに与えるための、およびアンテナから受信されたパケットを復調するためのモデムを含み得る。
【０１７８】
いくつかの場合、ワイヤレスデバイス1405は単一のアンテナ1425を含み得る。しかしながら、いくつかの場合、デバイス1405は2つ以上のアンテナ1425を有することがあり、これらのアンテナは、複数のワイヤレス送信を同時に送信または受信することが可能であり得る。
【０１７９】
メモリ1430は、RAM、ROM、またはこれらの組合せを含み得る。メモリ1430は、プロセッサ(たとえば、プロセッサ1440)によって実行されると、デバイス1405に本明細書で説明される様々な機能を実行させる命令を含む、コンピュータ可読コード1435を記憶し得る。いくつかの場合、メモリ1430は、特に、周辺構成要素またはデバイスとの相互作用などの、基本ハードウェアまたはソフトウェア動作を制御し得るBIOSを含み得る。
【０１８０】
プロセッサ1440は、インテリジェントハードウェアデバイス(たとえば、汎用プロセッサ、DSP、CPU、マイクロコントローラ、ASIC、FPGA、プログラム可能論理デバイス、個別ゲートもしくはトランジスタ論理構成要素、個別ハードウェア構成要素、またはそれらの任意の組合せ)を含み得る。いくつかの場合、プロセッサ1440は、メモリコントローラを使用してメモリアレイを動作させるように構成され得る。他の場合には、メモリコントローラは、プロセッサ1440の中に統合されてもよい。プロセッサ1440は、デバイス1405に様々な機能(たとえば、グローバルセル識別子報告のための測定構成をサポートする機能またはタスク)を実行させるために、メモリ(たとえば、メモリ1430)に記憶されているコンピュータ可読命令を実行するように構成され得る。
【０１８１】
局間通信マネージャ1445は、他の基地局105との通信を管理することができ、他の基地局105と協働してUE115との通信を制御するためのコントローラまたはスケジューラを含み得る。たとえば、局間通信マネージャ1445は、ビームフォーミングまたはジョイント送信などの様々な干渉緩和技法のために、UE115への送信のスケジューリングを協調させ得る。いくつかの例では、局間通信マネージャ1445は、基地局105間で通信を行うために、LTE/LTE-Aワイヤレス通信ネットワーク技術内のX2インターフェースを提供し得る。
【０１８２】
コード1435は、ワイヤレス通信をサポートするための命令を含む、本開示の態様を実施するための命令を含み得る。コード1435は、システムメモリまたは他のタイプのメモリなどの、非一時的コンピュータ可読媒体に記憶され得る。いくつかの場合、コード1435は、プロセッサ1440によって直接実行可能ではないことがあるが、(たとえば、コンパイルされ実行されると)本明細書で説明される機能をコンピュータに実行させることができる。
【０１８３】
図15は、本開示の態様による、グローバルセル識別子報告のための測定構成をサポートする方法1500を示すフローチャートを示す。方法1500の動作は、本明細書で説明されるように、UE115またはその構成要素によって実装され得る。たとえば、方法1500の動作は、図7〜図10を参照して説明されたような通信マネージャによって実行され得る。いくつかの例では、UE115は、以下で説明される機能を実行するためにUE115の機能要素を制御するように命令のセットを実行し得る。追加または代替として、UE115は、以下で説明される機能の態様を、専用ハードウェアを使用して実行し得る。
【０１８４】
1505において、UE115は、第2の基地局105の第1のセルの無線周波数帯域において第1のSSBを受信し得る。1505の動作は、本明細書で説明される方法に従って実行され得る。いくつかの例では、1505の動作の態様は、図7〜図10を参照して説明されたようなSSBマネージャによって実行され得る。
【０１８５】
1510において、UE115は、受信された第1のSSBに基づいて、第1のセルのPCIを第1の基地局105に報告し得る。1510の動作は、本明細書で説明される方法に従って実行され得る。いくつかの例では、1510の動作の態様は、図7〜図10を参照して説明されたようなPCI報告マネージャによって実行され得る。
【０１８６】
1515において、UE115は、第1の基地局105から、報告されたPCIに応答して、第2の基地局105のCGIを報告するようにとの命令を受信し得る。1515の動作は、本明細書で説明される方法に従って実行され得る。いくつかの例では、1515の動作の態様は、図7〜図10を参照して説明されたようなCGI報告マネージャによって実行され得る。
【０１８７】
1520において、UE115は、受信された命令と、第1のSSBの無線周波数帯域が同期ラスタにおいて受信されたかどうかとに基づいて、CGIを第1の基地局105に送信し得る。1520の動作は、本明細書で説明される方法に従って実行され得る。いくつかの例では、1520の動作の態様は、図7〜図10を参照して説明されたようなCGI報告マネージャによって実行され得る。
【０１８８】
図16は、本開示の態様による、グローバルセル識別子報告のための測定構成をサポートする方法1600を示すフローチャートを示す。方法1600の動作は、本明細書で説明されるように、UE115またはその構成要素によって実装され得る。たとえば、方法1600の動作は、図7〜図10を参照して説明されたような通信マネージャによって実行され得る。いくつかの例では、UE115は、以下で説明される機能を実行するためにUE115の機能要素を制御するように命令のセットを実行し得る。追加または代替として、UE115は、以下で説明される機能の態様を、専用ハードウェアを使用して実行し得る。
【０１８９】
1610において、UE115は、第2の基地局105の第1のセルの無線周波数帯域において第1のSSBを受信し得る。1610の動作は、本明細書で説明される方法に従って実行され得る。いくつかの例では、1610の動作の態様は、図7〜図10を参照して説明されたようなSSBマネージャによって実行され得る。
【０１９０】
1615において、UE115は、受信された第1のSSBに基づいて、第1のセルのPCIを第1の基地局105に報告し得る。1615の動作は、本明細書で説明される方法に従って実行され得る。いくつかの例では、1615の動作の態様は、図7〜図10を参照して説明されたようなPCI報告マネージャによって実行され得る。
【０１９１】
1620において、UE115は、第1の基地局105から、報告されたPCIに応答して、第2の基地局105のCGIを報告するようにとの命令を受信し得る。1620の動作は、本明細書で説明される方法に従って実行され得る。いくつかの例では、1620の動作の態様は、図7〜図10を参照して説明されたようなCGI報告マネージャによって実行され得る。
【０１９２】
1625において、UE115は、第1のSSBが同期ラスタにおいて受信されたことを決定し得る。1625の動作は、本明細書で説明される方法に従って実行され得る。いくつかの例では、1625の動作の態様は、図7〜図10を参照して説明されたような同期ラスタマネージャによって実行され得る。
【０１９３】
1630において、UE115は、第2の基地局105から、第1のSSBと関連付けられるシステム情報を受信し得る。1630の動作は、本明細書で説明される方法に従って実行され得る。いくつかの例では、1630の動作の態様は、図7〜図10を参照して説明されたようなSSBマネージャによって実行され得る。
【０１９４】
1635において、UE115は、システム情報に基づいてCGIを特定し得る。1635の動作は、本明細書で説明される方法に従って実行され得る。いくつかの例では、1635の動作の態様は、図7〜図10を参照して説明されたようなCGIマネージャによって実行され得る。
【０１９５】
1640において、UE115は、受信された命令と、第1のSSBの無線周波数帯域が同期ラスタにおいて受信されたかどうかとに基づいて、CGIを第1の基地局105に送信し得る。1640の動作は、本明細書で説明される方法に従って実行され得る。いくつかの例では、1640の動作の態様は、図7〜図10を参照して説明されたようなCGI報告マネージャによって実行され得る。
【０１９６】
図17は、本開示の態様による、グローバルセル識別子報告のための測定構成をサポートする方法1700を示すフローチャートを示す。方法1700の動作は、本明細書で説明されるように、UE115またはその構成要素によって実装され得る。たとえば、方法1700の動作は、図7〜図10を参照して説明されたような通信マネージャによって実行され得る。いくつかの例では、UE115は、以下で説明される機能を実行するためにUE115の機能要素を制御するように命令のセットを実行し得る。追加または代替として、UE115は、以下で説明される機能の態様を、専用ハードウェアを使用して実行し得る。
【０１９７】
1705において、UE115は、第2の基地局105の第1のセルの無線周波数帯域において第1のSSBを受信し得る。1705の動作は、本明細書で説明される方法に従って実行され得る。いくつかの例では、1705の動作の態様は、図7〜図10を参照して説明されたようなSSBマネージャによって実行され得る。
【０１９８】
1710において、UE115は、受信された第1のSSBに基づいて、第1のセルのPCIを第1の基地局105に報告し得る。1710の動作は、本明細書で説明される方法に従って実行され得る。いくつかの例では、1710の動作の態様は、図7〜図10を参照して説明されたようなPCI報告マネージャによって実行され得る。
【０１９９】
1715において、UE115は、第1の基地局105から、報告されたPCIに応答して、第2の基地局105のCGIを報告するようにとの命令を受信し得る。1715の動作は、本明細書で説明される方法に従って実行され得る。いくつかの例では、1715の動作の態様は、図7〜図10を参照して説明されたようなCGI報告マネージャによって実行され得る。
【０２００】
1720において、UE115は、第1のSSBが同期ラスタから離れて受信されたことを決定し得る。1720の動作は、本明細書で説明される方法に従って実行され得る。いくつかの例では、1720の動作の態様は、図7〜図10を参照して説明されたような同期ラスタマネージャによって実行され得る。
【０２０１】
1725において、UE115は、システム情報が第1のSSBと関連付けられないと決定し得る。1725の動作は、本明細書で説明される方法に従って実行され得る。いくつかの例では、1725の動作の態様は、図7〜図10を参照して説明されたようなSSBマネージャによって実行され得る。
【０２０２】
1730において、UE115は、第2の基地局105の第2のセルと関連付けられるシステム情報を決定するようにとの指示を受信し得る。1730の動作は、本明細書で説明される方法に従って実行され得る。いくつかの例では、1730の動作の態様は、図7〜図10を参照して説明されたようなCGIマネージャによって実行され得る。
【０２０３】
1735において、UE115は、システム情報に基づいてCGIを特定し得る。1735の動作は、本明細書で説明される方法に従って実行され得る。いくつかの例では、1735の動作の態様は、図7〜図10を参照して説明されたようなCGIマネージャによって実行され得る。
【０２０４】
1740において、UE115は、受信された命令と、第1のSSBの無線周波数帯域が同期ラスタにおいて受信されたかどうかとに基づいて、CGIを第1の基地局105に送信し得る。1740の動作は、本明細書で説明される方法に従って実行され得る。いくつかの例では、1740の動作の態様は、図7〜図10を参照して説明されたようなCGI報告マネージャによって実行され得る。
【０２０５】
図18は、本開示の態様による、グローバルセル識別子報告のための測定構成をサポートする方法1800を示すフローチャートを示す。方法1800の動作は、本明細書で説明されるように、UE115またはその構成要素によって実装され得る。たとえば、方法1800の動作は、図7〜図10を参照して説明されたような通信マネージャによって実行され得る。いくつかの例では、UEは、以下で説明される機能を実行するようにUEの機能要素を制御するための命令のセットを実行し得る。追加または代替として、UEは、以下で説明される機能の態様を、専用ハードウェアを使用して実行し得る。
【０２０６】
1805において、UE115は、第2の基地局105の第1のセルの無線周波数帯域において第1のSSBを受信し得る。1805の動作は、本明細書で説明される方法に従って実行され得る。いくつかの例では、1805の動作の態様は、図7〜図10を参照して説明されたようなSSBマネージャによって実行され得る。
【０２０７】
1810において、UE115は、受信された第1のSSBに基づいて、第1のセルのPCIを第1の基地局105に報告し得る。1810の動作は、本明細書で説明される方法に従って実行され得る。いくつかの例では、1810の動作の態様は、図7〜図10を参照して説明されたようなPCI報告マネージャによって実行され得る。
【０２０８】
1815において、UE115は、第1の基地局105から、報告されたPCIに応答して、第2の基地局105のCGIを報告するようにとの命令を受信し得る。1815の動作は、本明細書で説明される方法に従って実行され得る。いくつかの例では、1815の動作の態様は、図7〜図10を参照して説明されたようなCGI報告マネージャによって実行され得る。
【０２０９】
1820において、UE115は、第1のSSBが同期ラスタから離れて受信されたことを決定し得る。1820の動作は、本明細書で説明される方法に従って実行され得る。いくつかの例では、1820の動作の態様は、図7〜図10を参照して説明されたような同期ラスタマネージャによって実行され得る。
【０２１０】
1825において、UE115は、受信された第1のSSBに少なくとも一部基づいて、ブロードキャストCGIと関連付けられるタイミング基準を決定し得る。1825の動作は、本明細書で説明される方法に従って実行され得る。いくつかの例では、1825の動作の態様は、図7〜図10を参照して説明されたようなSSBマネージャによって実行され得る。
【０２１１】
1830において、UE115は、第2の基地局105から、タイミング基準と関連付けられる送信パターンに基づいてブロードキャストCGIを受信し得る。1830の動作は、本明細書で説明される方法に従って実行され得る。いくつかの例では、1830の動作の態様は、図7〜図10を参照して説明されたようなCGIマネージャによって実行され得る。
【０２１２】
1835において、UE115は、ブロードキャストCGIに基づいてCGIを特定し得る。1835の動作は、本明細書で説明される方法に従って実行され得る。いくつかの例では、1835の動作の態様は、図7〜図10を参照して説明されたようなCGIマネージャによって実行され得る。
【０２１３】
1840において、UE115は、受信された命令と、第1のSSBの無線周波数帯域が同期ラスタにおいて受信されたかどうかとに基づいて、CGIを第1の基地局105に送信し得る。1840の動作は、本明細書で説明される方法に従って実行され得る。いくつかの例では、1840の動作の態様は、図7〜図10を参照して説明されたようなCGI報告マネージャによって実行され得る。
【０２１４】
1845において、UE115は、CGIを第1の基地局105へ送信し得る。1845の動作は、本明細書で説明される方法に従って実行され得る。いくつかの例では、1845の動作の態様は、図7〜図10を参照して説明されたようなCGI報告マネージャによって実行され得る。
【０２１５】
図19は、本開示の態様による、グローバルセル識別子報告のための測定構成をサポートする方法1900を示すフローチャートを示す。方法1900の動作は、本明細書で説明されるように、UE115またはその構成要素によって実装され得る。たとえば、方法1900の動作は、図7〜図10を参照して説明されたような通信マネージャによって実行され得る。いくつかの例では、UE115は、以下で説明される機能を実行するためにUE115の機能要素を制御するように命令のセットを実行し得る。追加または代替として、UE115は、以下で説明される機能の態様を、専用ハードウェアを使用して実行し得る。
【０２１６】
1905において、UE115は、第2の基地局105の第1のセルの無線周波数帯域において第1のSSBを受信し得る。1905の動作は、本明細書で説明される方法に従って実行され得る。いくつかの例では、1905の動作の態様は、図7〜図10を参照して説明されたようなSSBマネージャによって実行され得る。
【０２１７】
1910において、UE115は、受信された第1のSSBに基づいて、第1のセルのPCIを第1の基地局105に報告し得る。1910の動作は、本明細書で説明される方法に従って実行され得る。いくつかの例では、1910の動作の態様は、図7〜図10を参照して説明されたようなPCI報告マネージャによって実行され得る。
【０２１８】
1915において、UE115は、第1の基地局105から、報告されたPCIに応答して、第2の基地局105のCGIを報告するようにとの命令を受信し得る。1915の動作は、本明細書で説明される方法に従って実行され得る。いくつかの例では、1915の動作の態様は、図7〜図10を参照して説明されたようなCGI報告マネージャによって実行され得る。
【０２１９】
1920において、UE115は、第1のSSBが同期ラスタから離れて受信されたことを決定し得る。1920の動作は、本明細書で説明される方法に従って実行され得る。いくつかの例では、1920の動作の態様は、図7〜図10を参照して説明されたような同期ラスタマネージャによって実行され得る。
【０２２０】
1925において、UE115は、受信された第1のSSBに少なくとも一部基づいて、CGIのための専用のリソースと関連付けられるタイミング基準を決定し得る。1925の動作は、本明細書で説明される方法に従って実行され得る。いくつかの例では、1925の動作の態様は、図7〜図10を参照して説明されたような専用リソースマネージャによって実行され得る。
【０２２１】
1930において、UE115は、タイミング基準と関連付けられる送信パターンに基づいて、専用のリソースにおいてCGI要求を送信し得る。1930の動作は、本明細書で説明される方法に従って実行され得る。いくつかの例では、1930の動作の態様は、図7〜図10を参照して説明されたようなCGIマネージャによって実行され得る。
【０２２２】
1935において、UE115は、送信されたCGI要求に基づいてCGIを受信し得る。1935の動作は、本明細書で説明される方法に従って実行され得る。いくつかの例では、1935の動作の態様は、図7〜図10を参照して説明されたような専用リソースマネージャによって実行され得る。
【０２２３】
1940において、UE115は、受信された命令と、第1のSSBの無線周波数帯域が同期ラスタにおいて受信されたかどうかとに基づいて、CGIを第1の基地局105に送信し得る。1940の動作は、本明細書で説明される方法に従って実行され得る。いくつかの例では、1940の動作の態様は、図7〜図10を参照して説明されたようなCGI報告マネージャによって実行され得る。
【０２２４】
図20は、本開示の態様による、グローバルセル識別子報告のための測定構成をサポートする方法2000を示すフローチャートを示す。方法2000の動作は、本明細書で説明されるような基地局105またはその構成要素によって実施され得る。たとえば、方法2000の動作は、図11〜図14を参照して説明されたような通信マネージャによって実行され得る。いくつかの例では、基地局105は、以下で説明される機能を実行するために基地局105の機能要素を制御するための命令のセットを実行し得る。追加または代替として、基地局105は、専用ハードウェアを使用して、以下で説明される機能の態様を実行し得る。
【０２２５】
2005において、第1の基地局105は、UE115から、第2の基地局105の第1のセルのPCIを受信し得る。2005の動作は、本明細書で説明される方法に従って実行され得る。いくつかの例では、2005の動作の態様は、図11〜図14を参照して説明されたようなPCIマネージャによって実行され得る。
【０２２６】
2010において、第1の基地局105は、PCIを特定するために使用される第1のSSBの無線周波数帯域が同期ラスタにおいて受信されたかどうかを特定し得る。2010の動作は、本明細書で説明される方法に従って実行され得る。いくつかの例では、2010の動作の態様は、図11〜図14を参照して説明されたような同期ラスタマネージャによって実行され得る。
【０２２７】
2015において、第1の基地局105は、この特定に基づいて、第2の基地局105のCGIを報告するようにUE115に命令するかどうかを決定し得る。2015の動作は、本明細書で説明される方法に従って実行され得る。いくつかの例では、2015の動作の態様は、図11〜図14を参照して説明されたような近隣CGIマネージャによって実行され得る。
【０２２８】
図21は、本開示の態様による、グローバルセル識別子報告のための測定構成をサポートする方法2100を示すフローチャートを示す。方法2100の動作は、本明細書で説明されるような基地局105またはその構成要素によって実施され得る。たとえば、方法2100の動作は、図11〜図14を参照して説明されたような通信マネージャによって実行され得る。いくつかの例では、基地局105は、以下で説明される機能を実行するために基地局105の機能要素を制御するための命令のセットを実行し得る。追加または代替として、基地局105は、専用ハードウェアを使用して、以下で説明される機能の態様を実行し得る。
【０２２９】
2105において、第1の基地局105は、UE115から、第2の基地局105の第1のセルのPCIを受信し得る。2105の動作は、本明細書で説明される方法に従って実行され得る。いくつかの例では、2105の動作の態様は、図11〜図14を参照して説明されたようなPCIマネージャによって実行され得る。
【０２３０】
2110において、第1の基地局105は、PCIを特定するために使用される第1のSSBの無線周波数帯域が同期ラスタにおいて受信されたかどうかを特定し得る。2110の動作は、本明細書で説明される方法に従って実行され得る。いくつかの例では、2110の動作の態様は、図11〜図14を参照して説明されたような同期ラスタマネージャによって実行され得る。
【０２３１】
2115において、第1の基地局105は、この特定に基づいて、第2の基地局105のCGIを報告するようにUE115に命令するかどうかを決定し得る。2115の動作は、本明細書で説明される方法に従って実行され得る。いくつかの例では、2115の動作の態様は、図11〜図14を参照して説明されたような近隣CGIマネージャによって実行され得る。
【０２３２】
2120において、第1の基地局105は、第1のSSBが同期ラスタにおいて受信されたという決定に基づいて、CGIを報告するようにとのUE115に対する命令を送信し得る。2120の動作は、本明細書で説明される方法に従って実行され得る。いくつかの例では、2120の動作の態様は、図11〜図14を参照して説明されたような近隣CGIマネージャによって実行され得る。
【０２３３】
2125において、第1の基地局105は、その命令に基づいてUE115からCGIを受信し得る。2125の動作は、本明細書で説明される方法に従って実行され得る。いくつかの例では、2125の動作の態様は、図11〜図14を参照して説明されたような近隣CGIマネージャによって実行され得る。
【０２３４】
図22は、本開示の態様による、グローバルセル識別子報告のための測定構成をサポートする方法2200を示すフローチャートを示す。方法2200の動作は、本明細書で説明されるような基地局105またはその構成要素によって実施され得る。たとえば、方法2200の動作は、図11〜図14を参照して説明されたような通信マネージャによって実行され得る。いくつかの例では、基地局105は、以下で説明される機能を実行するために基地局105の機能要素を制御するための命令のセットを実行し得る。追加または代替として、基地局105は、専用ハードウェアを使用して、以下で説明される機能の態様を実行し得る。
【０２３５】
2205において、第1の基地局105は、UE115から、第2の基地局105の第1のセルのPCIを受信し得る。2205の動作は、本明細書で説明される方法に従って実行され得る。いくつかの例では、2205の動作の態様は、図11〜図14を参照して説明されたようなPCIマネージャによって実行され得る。
【０２３６】
2210において、第1の基地局105は、PCIを特定するために使用される第1のSSBの無線周波数帯域が同期ラスタにおいて受信されたかどうかを特定し得る。2210の動作は、本明細書で説明される方法に従って実行され得る。いくつかの例では、2210の動作の態様は、図11〜図14を参照して説明されたような同期ラスタマネージャによって実行され得る。
【０２３７】
2215において、第1の基地局105は、この特定に基づいて、第2の基地局105のCGIを報告するようにUE115に命令するかどうかを決定し得る。2215の動作は、本明細書で説明される方法に従って実行され得る。いくつかの例では、2215の動作の態様は、図11〜図14を参照して説明されたような近隣CGIマネージャによって実行され得る。
【０２３８】
2220において、基地局105は、UE115がビームレベル測定を測定して報告すべきであることを示すCGI報告構成をUE115に送信し得る。2220の動作は、本明細書で説明される方法に従って実行され得る。いくつかの例では、2220の動作の態様は、図11〜図14を参照して説明されたようなCGI報告構成マネージャによって実行され得る。
【０２３９】
実施形態1:  UEにおけるワイヤレス通信の方法であって、第1の基地局の第1のセルの無線周波数帯域において第1の同期信号ブロック(SSB)を受信するステップと、受信された第1のSSBに少なくとも一部基づいて第1のセルの物理セル識別子(PCI)を第2の基地局に報告するステップと、報告されたPCIに応答して第2の基地局から、第1の基地局のグローバルセル識別子(CGI)を報告するようにとの命令を受信するステップと、受信された命令と、第1のSSBの無線周波数帯域が同期ラスタにおいて受信されたかどうかとに少なくとも一部基づいて、CGIを第2の基地局に送信するステップとを備える、方法。
【０２４０】
実施形態2:  UEによって、第1のSSBが同期ラスタにおいて受信されたことを決定するステップをさらに備える、実施形態1の方法。
【０２４１】
実施形態3:  第1の基地局から、第1のSSBと関連付けられるシステム情報を受信するステップと、システム情報に少なくとも一部基づいてCGIを特定するステップと、CGIを第2の基地局に送信するステップとをさらに備える、実施形態1または2のいずれかの方法。
【０２４２】
実施形態4:  システム情報が第1のSSBと関連付けられないと決定するステップと、第1の基地局から、第2のSSBを受信するステップであって、第2のSSBが第1のSSBによって少なくとも一部示される、ステップと、第1の基地局から、第2のSSBと関連付けられるシステム情報を受信するステップであって、第2のSSBが受信された第1のSSBに少なくとも一部基づいて受信される、ステップと、システム情報に少なくとも一部基づいてCGIを特定するステップと、CGIを第2の基地局に送信するステップとをさらに備える、実施形態1から3のいずれかの方法。
【０２４３】
実施形態5:  UEによって、第1のSSBが同期ラスタから離れて受信されたことを決定するステップをさらに備える、実施形態1から4のいずれかの方法。
【０２４４】
実施形態6:  システム情報が第1のSSBと関連付けられないと決定するステップと、第1の基地局の第2のセルと関連付けられるシステム情報を決定するようにとの指示を受信するステップと、システム情報に少なくとも一部基づいてCGIを特定するステップと、CGIを第2の基地局に送信するステップとをさらに備える、実施形態1から5のいずれかの方法。
【０２４５】
実施形態7:  第2のセルが、非スタンドアロンモードで動作する第1の基地局のマスターlong term evolution(LTE) evolved NodeB(eNB)を備える、実施形態1から6のいずれかの方法。
【０２４６】
実施形態8:  受信された第1のSSBに少なくとも一部基づいてブロードキャストCGIと関連付けられるタイミング基準を決定するステップと、第1の基地局から、タイミング基準と関連付けられる送信パターンに少なくとも一部基づいてブロードキャストCGIを受信するステップと、ブロードキャストCGIに少なくとも一部基づいてCGIを特定するステップと、CGIを第2の基地局に送信するステップとをさらに備える、実施形態1から7のいずれかの方法。
【０２４７】
実施形態9:  送信パターンのパラメータが送信周期およびオフセットを備える、実施形態1から8のいずれかの方法。
【０２４８】
実施形態10:  送信パターンのパラメータがシステム情報から取得される、実施形態1から9のいずれかの方法。
【０２４９】
実施形態11:  受信された第1のSSBに少なくとも一部基づいて、CGIのための専用のリソースと関連付けられるタイミング基準を決定するステップと、タイミング基準と関連付けられる送信パターンに少なくとも一部基づいて専用のリソースにおいてCGI要求を送信するステップと、送信されたCGI要求に少なくとも一部基づいてCGIを受信するステップと、CGIを第2の基地局に送信するステップとをさらに備える、実施形態1から10のいずれかの方法。
【０２５０】
実施形態12:  CGIのための専用のリソースの送信パターンのパラメータが送信周期およびオフセットを備える、実施形態1から11のいずれかの方法。
【０２５１】
実施形態13:  CGIのための専用のリソースの送信パターンのパラメータがシステム情報から取得される、実施形態1から12のいずれかの方法。
【０２５２】
実施形態14:  CGI要求がランダムアクセス手順の要求において送信され、CGIがランダムアクセス手順の応答において受信される、実施形態1から13のいずれかの方法。
【０２５３】
実施形態15:  CGIを報告するようにとの命令が、第1のSSBが同期ラスタにおいて受信されたという第2の基地局による決定に少なくとも一部基づいて、第2の基地局によって送信される、実施形態1から14のいずれかの方法。
【０２５４】
実施形態16:  PCIを報告するステップが、第1のセルのPCIと、第1のSSBを受信することに関連付けられる測定識別子とを含む測定報告を送信するステップを備え、CGIを報告するようにとの命令が、PCIおよび測定識別子に少なくとも一部基づく、実施形態1から15のいずれかの方法。
【０２５５】
実施形態17:  第1のブロードキャストCGIメッセージにおいてCGIの第1の部分を受信するステップと、第2のブロードキャストCGIメッセージにおいてCGIの第2の部分を受信するステップと、第1の部分および第2の部分に少なくとも一部基づいてCGIを特定するステップとをさらに備える、実施形態1から16のいずれかの方法。
【０２５６】
実施形態18:  複数のSSBのうちの1つまたは複数のSSBに少なくとも一部基づいてCGIブロードキャストパターンを特定するステップと、特定されたCGIブロードキャストパターンに少なくとも一部基づいてCGIを受信するステップとをさらに備える、実施形態1から17のいずれかの方法。
【０２５７】
実施形態19:  第1の基地局が近隣の基地局を備え、第2の基地局がサービング基地局を備える、実施形態1から18のいずれかの方法。
【０２５８】
実施形態20:  実施形態1から19のいずれかの方法を実行するための少なくとも1つの手段を備える、装置。
【０２５９】
実施形態21:  プロセッサと、プロセッサと電子的に通信しているメモリと、メモリに記憶され、装置に実施形態1から19のいずれかの方法を実行させるようにプロセッサによって実行可能な命令とを備える、第1の基地局におけるワイヤレス通信のための装置。
【０２６０】
実施形態22:  実施形態1から19のいずれかの方法を実行するようにプロセッサによって実行可能な命令を備える、ワイヤレス通信のためのコードを記憶する、非一時的コンピュータ可読媒体。
【０２６１】
実施形態23:  UEから、第2の基地局の第1のセルの物理セル識別子(PCI)を受信するステップと、PCIを特定するために使用される第1の同期信号ブロック(SSB)の無線周波数帯域が同期ラスタにおいて受信されたかどうかを特定するステップと、特定に少なくとも一部基づいて、第2の基地局のグローバルセル識別子(CGI)を報告するようにUEに命令するかどうかを決定するステップとを備える、第1の基地局におけるワイヤレス通信の方法。
【０２６２】
実施形態24:  第1のSSBが同期ラスタにおいて受信されたという決定に少なくとも一部基づいて、CGIを報告するようにとのUEに対する命令を送信するステップと、命令に少なくとも一部基づいてUEからCGIを受信するステップとをさらに備える、実施形態23の方法。
【０２６３】
実施形態25:  第1のSSBが同期ラスタから離れて受信されたという決定に少なくとも一部基づいて、CGIを報告するようにUEに命令するのを控えるステップをさらに備える、実施形態23または24のいずれかの方法。
【０２６４】
実施形態26:  第1のSSBが同期ラスタから離れて受信されたという決定に少なくとも一部基づいて、CGIを報告するようにとのUEに対する命令を送信するステップと、送信された命令に少なくとも一部基づいてUEからCGIを受信するステップとをさらに備える、実施形態23から25のいずれかの方法。
【０２６５】
実施形態27:  CGIを特定するために第2の基地局の第2のセルからシステム情報を取得するようにとのUEに対する命令を送信するステップと、送信された命令に応答してUEからCGIを受信するステップとをさらに備える、実施形態23から26のいずれかの方法。
【０２６６】
実施形態28:  第2のセルが、非スタンドアロンモードで動作する第1の基地局のマスターlong term evolution(LTE) evolved NodeB(eNB)を備える、実施形態23から27のいずれかの方法。
【０２６７】
実施形態29:  CGI報告構成をUEに送信するステップと、UEから、送信されたCGI報告構成に少なくとも一部基づいて構成されるCGI報告においてCGIを受信するステップとをさらに備える、実施形態23から28のいずれかの方法。
【０２６８】
実施形態30:  UEがセルレベル測定を測定して報告すべきであることを示すCGI報告構成をUEに送信するステップをさらに備える、実施形態23から29のいずれかの方法。
【０２６９】
実施形態31:  UEがビームレベル測定を測定して報告すべきであることを示すCGI報告構成をUEに送信するステップをさらに備える、実施形態23から30のいずれかの方法。
【０２７０】
実施形態32:  ビームレベル測定がビーム識別子を備える、実施形態23から31のいずれかの方法。
【０２７１】
実施形態33:  ビームレベル測定がビーム品質を備える、実施形態23から32のいずれかの方法。
【０２７２】
実施形態34:  ビームレベル測定がビーム識別子およびビーム品質を備える、実施形態23から33のいずれかの方法。
【０２７３】
実施形態35:  実施形態23から34のいずれかの方法を実行するための少なくとも1つの手段を備える、装置。
【０２７４】
実施形態36:  プロセッサと、プロセッサと電子的に通信しているメモリと、メモリに記憶され、装置に実施形態23から34のいずれかの方法を実行させるようにプロセッサによって実行可能な命令とを備える、第1の基地局におけるワイヤレス通信のための装置。
【０２７５】
実施形態37:  実施形態23から34のいずれかの方法を実行するようにプロセッサによって実行可能な命令を備える、ワイヤレス通信のためのコードを記憶する、非一時的コンピュータ可読媒体。
【０２７６】
上で説明された方法は、可能な実装形態を説明すること、動作およびステップは再構成されるかまたは他の方法で修正されてもよいこと、ならびに他の実装形態が可能であることに留意されたい。さらに、方法のうちの2つ以上からの態様が組み合わされ得る。
【０２７７】
本明細書で説明される技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムなどの、様々なワイヤレス通信システムのために使用され得る。CDMAシステムは、CDMA2000、Universal Terrestrial Radio Access(UTRA)などの無線技術を実装し得る。CDMA2000は、IS-2000、IS-95、およびIS-856規格をカバーする。IS-2000 Releaseは、一般に、CDMA2000 1X、1Xなどと呼ばれ得る。IS-856(TIA-856)は、一般に、CDMA2000 1xEV-DO、High Rate Packet Data(HRPD)などと呼ばれる。UTRAは、Wideband CDMA(WCDMA(登録商標))およびCDMAの他の変形を含む。TDMAシステムは、Global System for Mobile Communications(GSM)などの無線技術を実装し得る。
【０２７８】
OFDMAシステムは、Ultra Mobile Broadband(UMB)、Evolved UTRA(E-UTRA)、米国電気電子技術者協会(IEEE)802.11(Wi-Fi)、IEEE 802.16(WiMAX)、IEEE 802.20、Flash-OFDMなどの無線技術を実装し得る。UTRAおよびE-UTRAは、Universal Mobile Telecommunications System(UMTS)の一部である。LTE、LTE-A、およびLTE-A Proは、E-UTRAを使用するUMTSのリリースである。UTRA、E-UTRA、UMTS、LTE、LTE-A、LTE-A Pro、NR、およびGSMは、「第3世代パートナーシッププロジェクト」(3GPP)という名称の団体からの文書に記載されている。CDMA2000およびUMBは、「第3世代パートナーシッププロジェクト2」(3GPP2)という名称の団体からの文書に記載されている。本明細書で説明される技法は、上述のシステムおよび無線技術、ならびに他のシステムおよび無線技術に使用され得る。LTE、LTE-A、LTE-A Pro、またはNRシステムの態様が、例として説明されることがあり、LTE、LTE-A、LTE-A Pro、またはNR用語が、説明の大部分において使用されることがあるが、本明細書で説明される技法は、LTE、LTE-A、LTE-A Pro、またはNRの適用例以外に適用可能である。
【０２７９】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にすることができる。フェムトセルも、小さい地理的エリア(たとえば、自宅)をカバーすることができ、フェムトセルとの関連付けを有するUE115(たとえば、限定加入者グループ(CSG)中のUE115、自宅内のユーザのためのUE115など)による制限付きアクセスを提供することができる。マクロセルのためのeNBは、マクロeNBと呼ばれ得る。スモールセルのためのeNBは、スモールセルeNB、ピコeNB、フェムトeNB、またはホームeNBと呼ばれ得る。eNBは、1つまたは複数(たとえば、2つ、3つ、4つなど)のセルをサポートすることができ、1つまたは複数のコンポーネントキャリアを使用する通信もサポートすることができる。
【０２８０】
本明細書で説明される1つまたは複数のワイヤレス通信システム100は、同期動作または非同期動作をサポートすることができる。同期動作の場合、基地局105は、同様のフレームタイミングを有することがあり、異なる基地局105からの送信は時間的に概ね揃えられ得る。非同期動作の場合、基地局105は、異なるフレームタイミングを有することがあり、異なる基地局105からの送信は、時間的に揃えられないことがある。本明細書で説明される技法は、同期動作または非同期動作のいずれかのために使用され得る。
【０２８１】
本明細書で説明される情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２８２】
本開示に関して説明される様々な例示的なブロックおよびモジュールは、汎用プロセッサ、デジタル信号プロセッサ(DSP)、ASIC、フィールドプログラマブルゲートアレイ(FPGA)もしくは他のプログラマブル論理デバイス(PLD)、個別ゲートもしくはトランジスタ論理、個別ハードウェア構成要素、または本明細書で説明される機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)として実装され得る。
【０２８３】
本明細書で説明される機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして、コンピュータ可読媒体上に記憶され、またはコンピュータ可読媒体を介して送信され得る。他の例および実装形態が、本開示および添付の特許請求の範囲の範囲内に入る。たとえば、ソフトウェアの性質により、上で説明された機能は、プロセッサによって実行されるソフトウェア、ハードウェア、ファームウェア、ハードワイヤリング、またはこれらのうちのいずれかの組合せを使用して実装され得る。機能を実施する特徴はまた、異なる物理的位置において機能の部分が実装されるように分散されることを含めて、様々な位置に物理的に配置され得る。
【０２８４】
コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ランダムアクセスメモリ(RAM)、読取り専用メモリ(ROM)、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態で所望のプログラムコード手段を搬送または記憶するために使用され、汎用コンピュータもしくは専用コンピュータまたは汎用プロセッサもしくは専用プロセッサによってアクセスされ得る、任意の他の非一時的媒体を含み得る。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ディスク(disk)は、通常、データを磁気的に再生し、ディスク(disc)は、データをレーザーで光学的に再生する。上記の組合せも、コンピュータ可読媒体の範囲内に含まれる。
【０２８５】
特許請求の範囲内を含めて本明細書で使用される項目のリスト(たとえば、「のうちの少なくとも1つ」または「のうちの1つまたは複数」などの句で終わる項目のリスト)において使用される「または」は、たとえば、A、B、またはCのうちの少なくとも1つのリストが、AまたはBまたはCまたはABまたはACまたはBCまたはABC(すなわち、AおよびBおよびC)を意味するような、包括的リストを示す。また、本明細書で使用される「に基づいて」という句は、条件の閉集合への参照と解釈されないものとする。たとえば、「条件Aに基づいて」として説明される例示的なステップは、本開示の範囲から逸脱することなく、条件Aと条件Bの両方に基づいてよい。言い換えれば、本明細書で使用される「に基づいて」という句は、「に少なくとも一部基づいて」という句と同様に解釈されるべきである。
【０２８６】
添付の図では、同様の構成要素または特徴は、同じ参照ラベルを有し得る。さらに、同じタイプの様々な構成要素は、参照ラベルの後に、ダッシュと、同様の構成要素を区別する第2のラベルとを続けることによって区別されることがある。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０２８７】
添付の図面に関して本明細書に記載された説明は、例示的な構成を説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明する技法の理解をもたらすための具体的な詳細を含む。しかしながら、これらの技法は、これらの具体的な詳細なしで実践されてもよい。いくつかの事例では、説明される例の概念を不明瞭にすることを回避するために、よく知られている構造およびデバイスがブロック図の形式で示される。
【０２８８】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【符号の説明】
【０２８９】
105  基地局
110  地理的カバレッジエリア
115  UE
125  通信リンク
130  コアネットワーク
132  バックホールリンク
134  バックホールリンク
205  セル
210  通信
215  SSB
220  SSB
225  SSB
230  送信ビーム
705  デバイス
710  受信機
715  通信マネージャ
720  送信機
805  デバイス
810  受信機
815  通信マネージャ
820  SSBマネージャ
825  PCI報告マネージャ
830  CGI報告マネージャ
835  送信機
905  通信マネージャ
910  SSBマネージャ
915  PCI報告マネージャ
920  CGI報告マネージャ
925  同期ラスタマネージャ
930  CGIマネージャ
935  専用リソースマネージャ
1005  デバイス
1010  通信マネージャ
1015  I/Oコントローラ
1020  トランシーバ
1025  アンテナ
1030  メモリ
1035  コード
1040  プロセッサ
1045  バス
1105  デバイス
1110  受信機
1115  通信マネージャ
1120  送信機
1205  デバイス
1210  受信機
1215  通信マネージャ
1220  PCIマネージャ
1225  同期ラスタマネージャ
1230  近隣CGIマネージャ
1235  送信機
1305  通信マネージャ
1310  PCIマネージャ
1315  同期ラスタマネージャ
1320  近隣CGIマネージャ
1325  CGI報告構成マネージャ
1405  デバイス
1410  通信マネージャ
1415  ネットワーク通信マネージャ
1420  トランシーバ
1425  アンテナ
1430  メモリ
1435  コード
1440  プロセッサ
1445  局間通信マネージャ
1450  バス
【図１】
2021521684.tif 000006
【図２】
2021521684.tif 000007
【図３】
2021521684.tif 000008
【図４】
2021521684.tif 000009
【図５】
2021521684.tif 000010
【図６】
2021521684.tif 000011
【図７】
2021521684.tif 000012
【図８】
2021521684.tif 000013
【図９】
2021521684.tif 000014
【図１０】
2021521684.tif 000015
【図１１】
2021521684.tif 000016
【図１２】
2021521684.tif 000017
【図１３】
2021521684.tif 000018
【図１４】
2021521684.tif 000019
【図１５】
2021521684.tif 000020
【図１６】
2021521684.tif 000021
【図１７】
2021521684.tif 000022
【図１８】
2021521684.tif 000023
【図１９】
2021521684.tif 000024
【図２０】
2021521684.tif 000025
【図２１】
2021521684.tif 000026
【図２２】
2021521684.tif 000027
【国際調査報告】
2021521684.tif 000028
2021521684.tif 000029